(57)【要約】【課題】必要な用途にあわせた各種のデバイスを設置することができ、撮像機能の他に各種の機能を実現することができる小型レンズユニットを提供する。【解決手段】小型レンズユニット１０Ａは、カバーガラス１６ａ、絞り手段、レンズを備えたレンズブロック１２ａと、レンズブロック１２ａを収容するブロック収容スペース３０ａが形成されたホルダー１３ａとを有し、ブロック収容スペース３０ａに収容されたレンズブロック１２ａがホルダー１３ａに支持されるとともに、レンズブロック１２ａの外周面３５から径方向外方へ凸となって所定のデバイスを収容可能なデバイス収容スペース３６ａ〜３６ｄがレンズブロック１２ａの外周面３５とレンズブロック１２ａの外周面３５に対向するホルダー１３ａの内周面３４との間に形成されている。【選択図】図１
2020148960.tif 000002
【特許請求の範囲】
【請求項１】
カバーガラス、絞り手段、レンズのうちの少なくとも前記絞り手段、前記レンズを備えたレンズブロックと、前記レンズブロックを収容するブロック収容スペースが形成されたホルダーとを有し、
前記ブロック収容スペースに収容された前記レンズブロックが前記ホルダーに支持されるとともに、前記レンズブロックの外周面から径方向外方へ凸となって所定のデバイスを収容可能なデバイス収容スペースが該レンズブロックの外周面と該レンズブロックの外周面に対向する前記ホルダーの内周面との間に形成されていることを特徴とする小型レンズユニット。
【請求項２】
物体側の前端から後端に続く前記ブロック収容スペースの径方向の断面形状が、前記物体側の前端面から後端面に続く前記レンズブロックの径方向の断面形状と異なり、前記ブロック収容スペースの断面形状と異なる断面形状の前記レンズブロックを該ブロック収容スペースに収容することで、前記レンズブロックの外周面と前記ホルダーの内周面との間に前記デバイス収容スペースが形成される請求項１に記載の小型レンズユニット。
【請求項３】
前記ブロック収容スペースの断面形状が、円形に形成され、前記レンズブロックの断面形状が、多角形に形成され、前記レンズブロックを前記ブロック収容スペースに収容することで、前記レンズブロックの外周面と前記ホルダーの内周面との間に前記デバイス収容スペースが形成される請求項２に記載の小型レンズユニット。
【請求項４】
前記ブロック収容スペースの断面形状が、多角形に形成され、前記レンズブロックの断面形状が、円形に形成され、前記レンズブロックを前記ブロック収容スペースに収容することで、前記レンズブロックの外周面と前記ホルダーの内周面との間に前記デバイス収容スペースが形成される請求項２に記載の小型レンズユニット。
【請求項５】
前記ブロック収容スペースの断面形状が、多角形に形成され、前記レンズブロックの断面形状が、前記ブロック収容スペースの断面形状と異なる多角形に形成され、前記レンズブロックを前記ブロック収容スペースに収容することで、前記レンズブロックの外周面と前記ホルダーの内周面との間に前記デバイス収容スペースが形成される請求項２に記載の小型レンズユニット。
【請求項６】
前記ブロック収容スペースの断面形状が、多角形に形成され、前記レンズブロックの断面形状が、前記ブロック収容スペースの断面形状と同一であって該ブロック収容スペースの多角形の内側に納まる多角形に形成され、前記レンズブロックを前記ブロック収容スペースに収容することで、前記レンズブロックの外周面と前記ホルダーの内周面との間に前記デバイス収容スペースが形成される請求項２に記載の小型レンズユニット。
【請求項７】
前記レンズブロックの外周面と前記ホルダーの内周面との間には、複数の第１〜第ｎデバイス収容スペースが形成されている請求項１ないし請求項６いずれかに記載の小型レンズユニット。
【請求項８】
１つ又は複数の前記デバイスが、前記第１〜第ｎデバイス収容スペースのうちの少なくとも１つのデバイス収容スペースに収容されている請求項７に記載の小型レンズユニット。
【請求項９】
同一の種類の１つ又は複数の前記デバイスが、前記第１〜第ｎデバイス収容スペースのうちの少なくとも１つのデバイス収容スペースに収容されている請求項８に記載の小型レンズユニット。
【請求項１０】
異なる種類の１つ又は複数の前記デバイスが、前記第１〜第ｎデバイス収容スペースのうちの少なくとも１つのデバイス収容スペースに収容されている請求項８に記載の小型レンズユニット。
【請求項１１】
前記デバイスが、所定の固定手段によって前記デバイス収容スペースに固定された状態で収容されている請求項１ないし請求項１０いずれかに記載の小型レンズユニット。
【請求項１２】
前記デバイスが、前記デバイス収容スペースにフリー状態で収容されている請求項１ないし請求項１０いずれかに記載の小型レンズユニット。
【請求項１３】
前記レンズブロックでは、前記カバーガラス、前記絞り手段、前記レンズの断面形状が同一であり、前記カバーガラス、前記絞り手段、前記レンズのうちの少なくとも該絞り手段、該レンズが前記径方向と交差する一方向へ並んだ状態で一体になっている請求項１ないし請求項１２いずれかに記載の小型レンズユニット。
【請求項１４】
前記デバイスが、光を照射する照明用の光ファイバ、光を受光する受光用の光ファイバ、温度センサー、湿度センサー、所定の気体を噴射するエアー噴射チューブ、所定の液体を注入する液体注入チューブ、フォトディテクター、線量計、ワイヤーカッターのうちの少なくとも１つである請求項１ないし請求項１３いずれかに記載の小型レンズユニット。
【請求項１５】
前記ホルダーの外径が、０．５ｍｍ〜３ｍｍの範囲にある請求項１ないし請求項１４いずれかに記載の小型レンズユニット。
【請求項１６】
前記小型レンズユニットは、医療用内視鏡のセンサモジュールに設置され、又は、工業用内視鏡のセンサモジュールに設置される請求項１ないし請求項１５いずれかに記載の小型レンズユニット。
【発明の詳細な説明】
【技術分野】
【０００１】
本発明は、撮像素子に連結される小型レンズユニットに関する。
【背景技術】
【０００２】
体腔内等の管孔内に挿入される管状の挿入部と、使用者が保持する操作部と、操作部から延出してプロセッサに接続されるコネクタを有するユニバーサルケーブルとを備えた内視鏡が開示されている（特許文献１参照）。挿入部には、一対の照明光学系と、挿入部の先端に観察窓（対物レンズ）を有する観察光学系と、挿入部の先端にチャンネルパイプを有するチャンネルと、ノズルを有する送気／送水路（流体路）とが挿通されている。
【０００３】
照明光学系は、挿入部の先端に設置された照明窓（照明レンズ）と、ＬＥＤ光源（照明用光源）と、小型光源基板と、コネクタに連結される一対のリード線とを有する。照明窓や観察窓（対物レンズ）、チャンネルパイプ、ノズルは、挿入部の先端硬質部に配置されている。先端硬質部では、一対の照明窓の間に観察窓（対物レンズ）及びチャンネルパイプが配置され、観察窓に隣接してノズルが配置されている。
【先行技術文献】
【特許文献】
【０００４】
【特許文献１】特許第５６３９３１３号
【発明の概要】
【発明が解決しようとする課題】
【０００５】
近年、センシングに使用されるモジュールや内視鏡カメラ、各種センサー、周辺部品が軽量小型化し、それにともなってカメラモジュールも小型になっている。内視鏡用のカメラモジュールやモバイル向けのカメラモジュールのサイズが２ｍｍ以下の非常に小さい小型モジュールが作られている。しかし、照明等の部材を別途カメラモジュールの外に配置するため、製品全体としてのサイズが大きくなり、製品における小型化を図ることが難しい。
【０００６】
前記特許文献１に開示の内視鏡は、一対の照明光学系や観察光学系、チャンネル、送気／送水路（流体路）が管状の挿入部に挿通され、照明窓や観察窓（対物レンズ）、チャンネルパイプ、ノズルが挿入部の先端硬質部に配置されている。この内視鏡では、挿入部にそれらのデバイスを配置するため、照明窓や観察窓（対物レンズ）、チャンネルパイプ、ノズルを有する先端硬質部を利用しなければならず、内視鏡におけるレンズユニットの構造が複雑になり、その加工難易度が高くなってその製造コストが上昇するとともに、レンズユニットを効率よく製造（量産）することができない。また、照明光学系や送気／送水路（流体路）が設置され、内視鏡において照明や送気／送水を行うことができるが、内視鏡にそれ以外の機能を持たせることができない。
【０００７】
本発明の目的は、複雑な構造を採用することなく加工難易度を低くすることができ、廉価に製造することができるとともに、効率よく製造（量産）することができる小型レンズユニットを提供することにある。本発明の他の目的は、必要な用途にあわせた各種のデバイスを設置することができ、撮像機能の他に各種の機能を実現することができる小型レンズユニットを提供することにある。
【課題を解決するための手段】
【０００８】
前記課題を解決するための本発明の小型レンズユニットは、カバーガラス、絞り手段、レンズを備えたレンズブロックと、レンズブロックを収容するブロック収容スペースが形成されたホルダーとを有し、ブロック収容スペースに収容されたレンズブロックがホルダーに支持されるとともに、レンズブロックの外周面から径方向外方へ凸となって所定のデバイスを収容可能なデバイス収容スペースがレンズブロックの外周面とレンズブロックの外周面に対向するホルダーの内周面との間に形成されていることを特徴とする。
【０００９】
本発明のレンズユニットの一例としては、物体側の前端から後端に続くブロック収容スペースの径方向の断面形状が、物体側の前端面から後端面に続くレンズブロックの径方向の断面形状と異なり、ブロック収容スペースの断面形状と異なる断面形状のレンズブロックをブロック収容スペースに収容することで、レンズブロックの外周面とホルダーの内周面との間にデバイス収容スペースが形成される。
【００１０】
本発明のレンズユニットの他の一例としては、ブロック収容スペースの断面形状が、円形に形成され、レンズブロックの断面形状が、多角形に形成され、断面形状が多角形に形成されたレンズブロックを断面形状が円形に形成されたブロック収容スペースに収容することで、レンズブロックの外周面とホルダーの内周面との間にデバイス収容スペースが形成される。
【００１１】
本発明のレンズユニットの他の一例としては、ブロック収容スペースの断面形状が、多角形に形成され、レンズブロックの断面形状が、円形に形成され、断面形状が円形に形成されたレンズブロックを断面形状が多角形に形成されたブロック収容スペースに収容することで、レンズブロックの外周面とホルダーの内周面との間にデバイス収容スペースが形成される。
【００１２】
本発明のレンズユニットの他の一例としては、ブロック収容スペースの断面形状が、多角形に形成され、レンズブロックの断面形状が、ブロック収容スペースの断面形状と異なる多角形に形成され、断面形状が多角形に形成されたレンズブロックをレンズブロックの断面形状と異なる多角形の断面形状に形成されたブロック収容スペースに収容することで、レンズブロックの外周面とホルダーの内周面との間にデバイス収容スペースが形成される。
【００１３】
本発明のレンズユニットの他の一例としては、ブロック収容スペースの断面形状が、多角形に形成され、レンズブロックの断面形状が、ブロック収容スペースの断面形状と同一であってブロック収容スペースの多角形の内側に納まる多角形に形成され、断面形状がブロック収容スペースの多角形と同一の多角形に形成されたレンズブロックをブロック収容スペースに収容することで、レンズブロックの外周面とホルダーの内周面との間にデバイス収容スペースが形成される。
【００１４】
本発明のレンズユニットの他の一例として、レンズブロックの外周面とホルダーの内周面との間には、複数の第１〜第ｎデバイス収容スペースが形成されている。
【００１５】
本発明のレンズユニットの他の一例としては、１つ又は複数のデバイスが、第１〜第ｎデバイス収容スペースのうちの少なくとも１つのデバイス収容スペースに収容されている。
【００１６】
本発明のレンズユニットの他の一例としては、同一の種類の１つ又は複数のデバイスが、第１〜第ｎデバイス収容スペースのうちの少なくとも１つのデバイス収容スペースに収容されている。
【００１７】
本発明のレンズユニットの他の一例としては、異なる種類の１つ又は複数のデバイスが、第１〜第ｎデバイス収容スペースのうちの少なくとも１つのデバイス収容スペースに収容されている。
【００１８】
本発明のレンズユニットの他の一例としては、デバイスが、所定の固定手段によってデバイス収容スペースに固定された状態で収容されている。
【００１９】
本発明のレンズユニットの他の一例としては、デバイスが、デバイス収容スペースにフリー状態で収容されている。
【００２０】
本発明のレンズユニットの他の一例として、レンズブロックでは、カバーガラス、絞り手段、レンズの断面形状が同一であり、カバーガラス、絞り手段、レンズのうちの少なくとも絞り手段、レンズが径方向と交差する一方向へ並んだ状態で一体になっている。
【００２１】
本発明のレンズユニットの他の一例としては、デバイスが、光を照射する照明用の光ファイバ、光を受光する受光用の光ファイバ、温度センサー、湿度センサー、所定の気体を噴射するエアー噴射チューブ、所定の液体を注入する液体注入チューブ、フォトディテクター、線量計、ワイヤーカッターのうちの少なくとも１つである。
【００２２】
本発明のレンズユニットの他の一例としては、ホルダーの外径が、０．５ｍｍ〜３ｍｍの範囲にある。
【００２３】
本発明のレンズユニットの他の一例として、小型レンズユニットは、医療用内視鏡のセンサモジュールの先端に設置され、又は、工業用内視鏡のセンサモジュールの先端に設置される。
【発明の効果】
【００２４】
本発明に係る小型レンズユニットによれば、カバーガラス、絞り手段、レンズを備えたレンズブロックと、レンズブロックを収容するブロック収容スペースが形成されたホルダーとを有し、ブロック収容スペースに収容されたレンズブロックがホルダーに支持されるとともに、レンズブロックの外周面から径方向外方へ凸となって所定のデバイスを収容可能なデバイス収容スペースがレンズブロックの外周面とホルダーの内周面との間に形成されているから、複雑な構造を採用する必要はなく、加工難易度を低くすることができ、デバイス収容スペースが形成されたレンズユニットを容易に作ることができる。小型レンズユニットは、それを廉価に作ることができ、レンズユニットを機械的に効率よく製造（量産）することができる。小型レンズユニットは、レンズブロックの外周面とホルダーの内周面との間に形成されたデバイス収容スペースに所定のデバイスを収容することができるから、小型であるにもかかわらず、必要な用途にあわせた各種のデバイスをレンズユニットに設置することができ、各デバイスを利用することで撮像機能の他に各種の機能を実現することができる。小型レンズユニットは、ブロック収容スペースに収容されたレンズブロックがホルダーに支持されるから、ホルダーのブロック収容スペースにおいてレンズブロックがずれ動くことはなく、レンズブロックをホルダーのブロック収容スペースに固定することができる。
【００２５】
請求項２に記載の小型レンズユニットによれば、ブロック収容スペースの断面形状と異なる断面形状のレンズブロックをブロック収容スペースに収容することで、レンズブロックの外周面とホルダーの内周面との間に必然的にデバイス収容スペースが形成されるから、所定の断面形状を有するブロック収容スペースを有するホルダーと断面形状がブロック収容スペースと異なるレンズブロックとを製造すればよく、複雑な構造を採用することはなく加工難易度を低くすることができ、デバイス収容スペースが形成されたレンズユニットを容易に作ることができる。小型レンズユニットは、断面形状が異なるブロック収容スペースを有するホルダーとレンズブロックとを製造すればよいから、レンズユニットを廉価に作ることができ、レンズユニットを機械的に効率よく製造（量産）することができる。小型レンズユニットは、所定の断面形状を有するレンズブロックの外周面と断面形状が異なるブロック収容スペースを有するホルダーの内周面との間に形成されたデバイス収容スペースに所定のデバイスを収容することができるから、小型であるにもかかわらず、必要な用途にあわせた各種のデバイスをレンズユニットに設置することができ、各デバイスを利用することで撮像機能の他に各種の機能を実現することができる。
【００２６】
請求項３に記載の小型レンズユニットによれば、断面形状が多角形のレンズブロックを断面形状が円形のブロック収容スペースに収容することで、レンズブロックの外周面とホルダーの内周面との間に必然的にデバイス収容スペースが形成されるから、円形の断面形状のブロック収容スペースを有するホルダーと多角形の断面形状のレンズブロックとを製造すればよく、複雑な構造を採用することはなく加工難易度を低くすることができ、デバイス収容スペースが形成されたレンズユニットを容易に作ることができる。小型レンズユニットは、円形の断面形状のブロック収容スペースを有するホルダーと多角形の断面形状のレンズブロックとを製造すればよいから、レンズユニットを廉価に作ることができ、レンズユニットを機械的に効率よく製造（量産）することができる。小型レンズユニットは、多角形の断面形状を有するレンズブロックの外周面と円形の断面形状のブロック収容スペースを有するホルダーの内周面との間に形成されたデバイス収容スペースに所定のデバイスを収容することができるから、小型であるにもかかわらず、必要な用途にあわせた各種のデバイスをレンズユニットに設置することができ、各デバイスを利用することで撮像機能の他に各種の機能を実現することができる。
【００２７】
請求項４に記載の小型レンズユニットによれば、断面形状が円形のレンズブロックを断面形状が多角形のブロック収容スペースに収容することで、レンズブロックの外周面とホルダーの内周面との間に必然的にデバイス収容スペースが形成されるから、多角形の断面形状のブロック収容スペースを有するホルダーと円形の断面形状のレンズブロックとを製造すればよく、複雑な構造を採用することはなく加工難易度を低くすることができ、デバイス収容スペースが形成されたレンズユニットを容易に作ることができる。小型レンズユニットは、多角形の断面形状のブロック収容スペースを有するホルダーと円形の断面形状のレンズブロックとを製造すればよいから、レンズユニットを廉価に作ることができ、レンズユニットを機械的に効率よく製造（量産）することができる。小型レンズユニットは、円形の断面形状を有するレンズブロックの外周面と多角形の断面形状のブロック収容スペースを有するホルダーの内周面との間に形成されたデバイス収容スペースに所定のデバイスを収容することができるから、小型であるにもかかわらず、必要な用途にあわせた各種のデバイスをレンズユニットに設置することができ、各デバイスを利用することで撮像機能の他に各種の機能を実現することができる。
【００２８】
請求項５に記載の小型レンズユニットによれば、多角形の断面形状のレンズブロックを異なる多角形の断面形状のブロック収容スペースに収容することで、レンズブロックの外周面とホルダーの内周面との間に必然的にデバイス収容スペースが形成されるから、多角形の断面形状のブロック収容スペースを有するホルダーと多角形の断面形状のレンズブロックとを製造すればよく、複雑な構造を採用することはなく加工難易度を低くすることができ、デバイス収容スペースが形成されたレンズユニットを容易に作ることができる。小型レンズユニットは、多角形の断面形状のブロック収容スペースを有するホルダーと多角形の断面形状のレンズブロックとを製造すればよいから、レンズユニットを廉価に作ることができ、レンズユニットを機械的に効率よく製造（量産）することができる。小型レンズユニットは、多角形の断面形状を有するレンズブロックの外周面と多角形の断面形状のブロック収容スペースを有するホルダーの内周面との間に形成されたデバイス収容スペースに所定のデバイスを収容することができるから、小型であるにもかかわらず、必要な用途にあわせた各種のデバイスをレンズユニットに設置することができ、各デバイスを利用することで撮像機能の他に各種の機能を実現することができる。
【００２９】
請求項６に記載の小型レンズユニットによれば、ブロック収容スペースの断面形状と同一であってブロック収容スペースの多角形の内側に納まる多角形の断面形状のレンズブロックを多角形の断面形状のブロック収容スペースに収容することで、レンズブロックの外周面とホルダーの内周面との間に必然的にデバイス収容スペースが形成されるから、多角形の断面形状のブロック収容スペースを有するホルダーと多角形の断面形状のレンズブロックとを製造すればよく、複雑な構造を採用することはなく加工難易度を低くすることができ、デバイス収容スペースが形成されたレンズユニットを容易に作ることができる。小型レンズユニットは、多角形の断面形状のブロック収容スペースを有するホルダーと多角形の断面形状のレンズブロックとを製造すればよいから、レンズユニットを廉価に作ることができ、レンズユニットを機械的に効率よく製造（量産）することができる。小型レンズユニットは、多角形の断面形状を有するレンズブロックの外周面と多角形の断面形状のブロック収容スペースを有するホルダーの内周面との間に形成されたデバイス収容スペースに所定のデバイスを収容することができるから、小型であるにもかかわらず、必要な用途にあわせた各種のデバイスをレンズユニットに設置することができ、各デバイスを利用することで撮像機能の他に各種の機能を実現することができる。
【００３０】
請求項７に記載の小型レンズユニットによれば、レンズブロックの周り方向へ並ぶ複数の第１〜第ｎデバイス収容スペースが形成され、レンズブロックの外周面とホルダーの内周面との間に形成された第１〜第ｎデバイス収容スペースに所定のデバイスを収容することができるから、小型であるにもかかわらず、必要な用途にあわせた各種のデバイスをレンズユニットに設置することができ、各デバイスを利用することで撮像機能の他に各種の機能を実現することができる。
【００３１】
請求項８に記載の小型レンズユニットによれば、１つ又は複数のデバイスを第１〜第ｎデバイス収容スペースのうちの少なくとも１つのデバイス収容スペースに収容することで、小型であるにもかかわらず、必要な用途にあわせた１つ又は複数のデバイスをレンズユニットに設置することができ、そのデバイスを利用することで撮像機能の他に各種の機能を実現することができる。
【００３２】
請求項９に記載の小型レンズユニットによれば、同一の種類の１つ又は複数のデバイスを第１〜第ｎデバイス収容スペースのうちの少なくとも１つのデバイス収容スペースに収容することで、小型であるにもかかわらず、必要な用途にあわせた１つ又は複数の同一のデバイスをレンズユニットに設置することができ、そのデバイスを利用することで撮像機能の他に各種の機能を実現することができる。小型レンズユニットは、同一の種類の複数のデバイスを第１〜第ｎデバイス収容スペースのうちの少なくとも１つのデバイス収容スペースに収容することで、デバイスの相乗効果を利用することができる。
【００３３】
請求項１０に記載の小型レンズユニットによれば、異なる種類の１つ又は複数のデバイスを第１〜第ｎデバイス収容スペースのうちの少なくとも１つのデバイス収容スペースに収容することで、小型であるにもかかわらず、必要な用途にあわせた１つ又は複数の異なる種類のデバイスをレンズユニットに設置することができ、そのデバイスを利用することで撮像機能の他に各種の機能を実現することができる。小型レンズユニットは、異なる種類の複数のデバイスを第１〜第ｎデバイス収容スペースのうちの少なくとも１つのデバイス収容スペースに収容することで、デバイスの相乗効果を利用することができる。
【００３４】
請求項１１に記載の小型レンズユニットによれば、所定の固定手段によってデバイスをデバイス収容スペースに固定することで、レンズユニットにおけるデバイスの不用意な遊動を防ぐことができ、デバイスの各種の機能を確実に利用することができる。
【００３５】
請求項１２に記載の小型レンズユニットによれば、デバイスをデバイス収容スペースにフリー状態で収容することで、自由な動きによってその機能を発揮するデバイスをレンズユニットに設置することができ、デバイスの各種の機能を確実に利用することができる。
【００３６】
請求項１３に記載の小型レンズユニットによれば、カバーガラス、絞り手段、レンズの断面形状が同一であり、カバーガラス、絞り手段、レンズのうちの少なくとも絞り手段、レンズが径方向と交差する一方向へ並んだ状態で一体になっているから、カバーガラスや絞り手段、レンズが障害になることなくレンズブロックの外周面とホルダーの内周面との間にデバイス収容スペースを形成することができ、デバイス収容スペースが形成されたレンズユニットを容易に作ることができる。
【００３７】
請求項１４に記載の小型レンズユニットによれば、必要な用途にあわせてデバイスが光を照射する照明用の光ファイバ、光を受光する受光用の光ファイバ、温度センサー、湿度センサー、所定の気体を噴射するエアー噴射チューブ、所定の液体を注入する液体注入チューブ、フォトディテクター、線量計、ワイヤーカッターの中から必要なそれを選択し、選択したデバイスを小型レンズユニットに設置することができ、それらのデバイスの中から必要なデバイスを利用することで撮像機能の他に各種の機能を実現することができる。
【００３８】
請求項１５に記載の小型レンズユニットによれば、ホルダーの外径を０．５ｍｍ〜３ｍｍの範囲にすることで、レンズユニットを小型にすることができ、小型の撮像素子に好適に連結することが可能な小型のレンズユニットを作ることができる。
【００３９】
請求項１６に記載の小型レンズユニットによれば、医療用内視鏡のセンサモジュール又は工業用内視鏡のセンサモジュールに設置するためのデバイス収容スペースが形成されたレンズユニットを容易に作ることができ、医療用内視鏡のセンサモジュール又は工業用内視鏡のセンサモジュールに好適に使用することが可能なレンズユニットを廉価かつ機械的に効率よく製造（量産）することができる。
【図面の簡単な説明】
【００４０】
【図１】小型レンズユニットの一例を示す斜視図。
【図２】図１の小型レンズユニットの上面図。
【図３】図２のＡ−Ａ線断面図。
【図４】センサモジュールを接続した状態で示す図３と同様の断面図。
【図５】他の一例として示す小型レンズユニットの斜視図。
【図６】図５の小型レンズユニットの上面図。
【図７】図６のＢ−Ｂ線断面図。
【図８】他の一例として示す小型レンズユニットの斜視図。
【図９】図８の小型レンズユニットの上面図。
【図１０】図９のＣ−Ｃ線断面図。
【図１１】他の一例として示す小型レンズユニットの斜視図。
【図１２】図１１の小型レンズユニットの上面図。
【図１３】図１２のＤ−Ｄ線断面図。
【図１４】他の一例として示す小型レンズユニットの斜視図。
【図１５】図１４の小型レンズユニットの上面図。
【図１６】図１５のＥ−Ｅ線断面図。
【図１７】他の一例として示す小型レンズユニットの斜視図。
【図１８】図１７の小型レンズユニットの上面図。
【図１９】図１８のＦ−Ｆ線断面図。
【図２０】他の一例として示すレンズユニットの斜視図。
【図２１】図２０のレンズユニットの上面図。
【図２２】図２１のＧ−Ｇ線断面図。
【図２３】他の一例として示す小型レンズユニットの斜視図。
【図２４】図２３のＨ−Ｈ線断面図。
【図２５】他の一例として示す小型レンズユニットの斜視図。
【図２６】図２５のＩ−Ｉ線断面図。
【図２７】他の一例として示す小型レンズユニットの断面図。
【発明を実施するための形態】
【００４１】
小型レンズユニット１０Ａの一例を示す斜視図である図１等の添付の図面を参照し、本発明にかかる小型レンズユニットの詳細を説明すると、以下のとおりである。なお、図２は、図１の小型レンズユニット１０Ａの上面図であり、図３は、図２のＡ−Ａ線断面図である。図４は、センサモジュール１１を接続した状態で示す図３と同様の断面図である。図１では、前後方向を矢印Ｘで示し、径方向を矢印Ｙで示す。
【００４２】
小型レンズユニット１０Ａ（小型レンズユニット１０Ｂ〜１０Ｇを含む）は、撮像系の小型のレンズユニットとして好適に使用することができ、各種の内視鏡（図示せず）のセンサモジュール１１（スコープ）（図４参照）の先端部に設置される。内視鏡としては、各種の工業用内視鏡、血管内視鏡や脳内用スコープや耳鼻咽喉用スコープ等の各種の医療用内視鏡が含まれる他、今後開発されるあらゆる内視鏡が含まれる。
【００４３】
小型レンズユニット１０Ａは、レンズブロック１２ａと、ホルダー１３ａと、光を照射する照明用の光ファイバ（デバイス）１４及び光を受光する受光用の光ファイバ１５（デバイス）とから形成されている。レンズブロック１２ａは、カバーガラス１６ａと、絞りパターン１７ａ（絞り手段）と、レンズ１８ａとから形成されている。レンズブロック１２ａでは、カバーガラス１６ａ、絞りパターン１７ａ（絞り手段）、レンズ１８ａが径方向と交差する前後方向（一方向）へ並んだ状態で一体になっている。なお、カバーガラス１６ａ、絞り手段１７ａ、レンズ１８ａが一体になることなく、カバーガラス１６ａ、絞り手段（例えば、絞り銅板）、レンズ１８ａが別々にホルダー１３ａに収容（固定）された状態で前後方向（一方向）へ並んでいてもよい。
【００４４】
カバーガラス１６ａは、物体側の前端面１９と、前端面１９の反対側（レンズ１８ａ側）に位置する後端面２０と、前後端面１９，２０の間に延びる４つの側面２１と、各側面２１が交差する４つの角２２とを有する。カバーガラス１６ａは、物体側の前端面１９から後端面２０に続く側面の形状が正四角柱（四角柱）に形成され、物体側の前端面１９から後端面２０に続く径方向の断面形状が正四角形（四角形）に形成されている。カバーガラス１６ａは、前端面１９と各側面２１（周面）とが交差する角がカットされ、前端面１９と各側面２１とが交差する角が面取りされている。
【００４５】
カバーガラス１６ａは、対角線の長さＬ１が１．２ｍｍであり、その厚み寸法Ｌ２が０．３ｍｍである。カバーガラス１６ａの対角線の長さＬ１や厚み寸法Ｌ２は、小型レンズユニット１０Ａを使用する内視鏡のセンサモジュール１１の種類によって適宜決定され、カバーガラス１６ａの対角線の長さＬ１や厚み寸法Ｌ２に特に制限はない。
【００４６】
絞りパターン１７ａは、カバーガラス１６ａの断面形状が正四角形の後端面２１の全域に形成されている。絞りパターン１７ａは、フォトエッチングによってカバーガラス１６ａの後端面２０にマスキングされた光を遮断する色（たとえば、黒色や灰色等）のクロム膜である。絞りパターン１７ａは、その径方向の断面形状が正四角形（四角形）であり、断面形状がカバーガラス１６ａの断面形状と同一である。
【００４７】
絞りパターン１７ａの中心には、円形の貫通孔２３が形成されている。絞り手段（小型レンズユニット１０Ｂ〜１０Ｇの絞り手段を含む）がフォトエッチングによってカバーガラス１６ａの前端面２０の全域と後端面２１の全域とにマスキングされた絞りパターン（クロム膜）であってもよく、絞りパターン１７ａがフォトエッチングによってカバーガラス１６ａの前端面２０の全域にマスキングされた絞りパターン（クロム膜）であってもよい。
【００４８】
小型レンズユニット１０Ａ（小型レンズユニット１０Ｂ〜１０Ｇを含む）は、カバーガラス１６ａの後端面２０にフォトエッチングによって絞りパターン１７ａを形成することができ、例えば、絞り銅板（絞り手段）をレンズとカバーガラスとの間に介在させる必要がなく、絞り銅板を省くことができるとともに、絞り銅板をレンズとカバーガラスとの間に介在させる手間と時間とを省くことができる。
【００４９】
レンズ１８ａは、物体側（カバーガラス１６ａ側）の前端面２４と、前端面２４の反対側（センサモジュール１１側）に位置する後端面２５と、前後端面２４，２５に間に延びる４つの側面２６と、各側面２６が交差する４つの角２７とを有する。レンズ１８ａは、物体側の前端面２４から後端面２５に続く径方向の断面形状が正四角形（四角形）に形成されている。レンズ１８ａは、その断面形状がカバーガラス１６ａの断面形状と同一である。レンズ１８ａは、径方向の最大径Ｌ３が１．２ｍｍである。レンズ１８ａ（１８ｂ〜１８ｄを含む）の径方向の最大径Ｌ３は、小型レンズユニット１０Ａ（小型レンズユニット１０Ｂ〜１０Ｇを含む）を使用する内視鏡のセンサモジュール１１の種類によって適宜決定され、レンズ１８ａの径方向の最大径Ｌ３に特に制限はない。
【００５０】
レンズブロック１２ａ（カバーガラス１６ａ、絞りパターン１７ａ（絞り手段）、レンズ１８ａ）は、物体側の前端面（カバーガラス１６ａの前端面１９）から後端面（レンズ１８ａの後端面２５）に続く径方向の断面形状が正四角形（四角形）に形成されている。小型レンズユニット１０Ａ（小型レンズユニット１０Ｂ〜１０Ｇを含む）を設置した内視鏡では、カバーガラス１６ａ（カバーガラス１６ｂ〜１６ｄを含む）を透過した光が絞りパターン１７ａ（絞りパターン１７ｂ〜１７ｄを含む）の貫通孔２３を通ってレンズ１８ａ（レンズ１８ｂ〜１８ｄを含む）に入射し、レンズ１８ａからセンサモジュール１１の撮像素子に入射することで、画像として表示される。
【００５１】
ホルダー１３ａ（ホルダー１３ｂ〜１３ｄを含む）は、合成樹脂（プラスチック製）から作られている。ホルダー１３ａは、前後方向へ長い円筒状の胴部２８と、胴部２８につながって胴部２８から後方へ延びる脚部２９と、胴部２８の略上半分に形成されたブロック収容スペース３０ａと、脚部２９の内側に形成されたセンサモジュール収容ペース３１とを有する。ホルダー１３ａの胴部２８は、前端３２及び後端３３を有し、その直径Ｌ４（ホルダー１３ａの外径）が１．４ｍｍである。なお、ホルダー１３ａ（ホルダー１３ｂ〜１３ｄを含む）がＳＵＳや合金等の金属から作られていてもよい。
【００５２】
ホルダー１３ａ（ホルダー１３ｂ〜１３ｄを含む）の胴部２８の直径Ｌ４（ホルダー１３ａ（ホルダー１３ｂ〜１３ｄを含む）の外径）は、小型レンズユニット１０Ａ（小型レンズユニット１０Ｂ〜１０Ｇを含む）を使用する内視鏡のセンサモジュール１１の種類によって適宜決定され、ホルダー１３ａの胴部２８の直径Ｌ４に特に制限はない。脚部２９は、胴部２８と一体形成され、４つのそれが胴部２８の周り方向へ等間隔離間して並んでいる。ホルダー１３ａの胴部２８の直径Ｌ４（ホルダー１３ａの外径）は、０．５ｍｍ〜３ｍｍの範囲で調節される。
【００５３】
ブロック収容スペース３０ａは、ホルダー１３ａの胴部２８の物体側の前端３２から後端３３に続く径方向の断面形状が円形（真円）に形成され、ホルダー１３ａの胴部２８の前端３２（前方）から後端３３（後方）に向かって凹む円筒状に形成されている。ブロック収容スペース３０ａは、その最大内径が０．４ｍｍ〜２ｍｍの範囲で調節される。
【００５４】
ブロック収容スペース３０ａには、レンズブロック１２ａ（カバーガラス１６ａ、絞りパターン１７ａ（絞り手段）、レンズ１８ａ）が収容されている。ブロック収容スペース３０ａでは、カバーガラス１６ａが絞りパターン１７ａの前方に位置しつつスペース３０ａの前方に収容され（嵌め込まれ）、レンズ１８ａが絞りパターン１７ａの後方に位置しつつスペース３０ａの後方に収容されている（嵌め込まれている）。センサモジュール収容スペース３１には、図４に示すように、センサモジュール１１が嵌め込まれる。
【００５５】
小型レンズユニット１０Ａでは、レンズブロック１２ａの正四角柱の４つの角（カバーガラス１６ａの正四角柱の４つの角２２、レンズ１７ａの４つの角２７）がホルダー１３ａの胴部２８の内周面３４に当接し、ブロック収容スペース３０ａに収容されたレンズブロック１２ａ（カバーガラス１６ａ、絞りパターン１７ａ（絞り手段）、レンズ１８ａ）がホルダー１３ａに支持され、レンズブロック１２ａがホルダー１３ａに固定されている。ホルダー１３ａの胴部２８は、レンズブロック１２ａの断面形状が正四角形の外接円になる。なお、レンズブロック１２ａの４つの角のうちの少なくとも２つの角がホルダー１３ａの胴部２８の内周面３４に当接し、その状態でレンズブロック１２ａがホルダー１３ａに支持（固定）されていればよい。
【００５６】
小型レンズユニット１０Ａには、レンズブロック１２ａの外周面３５（各側面）から径方向外方へ凸となって所定のデバイスを収容可能な第１〜第４デバイス収容スペース３６ａ〜３６ｄ（第１〜第ｎデバイス収容スペース）が形成されている。第１〜第４デバイス収容スペース３６ａ〜３６ｄは、レンズブロック１２ａの外周面３５とレンズブロック１２ａの外周面３５に対向するホルダー１３ａの内周面３４との間に形成され、レンズブロック１２ａ（ホルダー１３ａ）の周り方向へ並んでいる。第１〜第４デバイス収容スペース３６ａ〜３６ｄは、その平面形状や面積（大きさ）が略同一である。
【００５７】
小型レンズユニット１０Ａでは、ホルダー１３ａの胴部２８の物体側の前端３２から後端３３に続くブロック収容スペース３０ａの径方向の断面形状（円形）がレンズブロック１２ａの物体側の前端面（カバーガラス１６ａの前端面１９）から後端面（レンズ１８ａの後端面２５）に続く径方向の断面形状（正四角形）と異なり、ブロック収容スペース３０ａの断面形状（円形）と異なる断面形状（正四角形）のレンズブロック１２ａ（断面形状が正四角形に形成されたレンズブロック１２ａ）をブロック収容スペース３０ａに収容することで、レンズブロック１２ａの外周面３５とホルダー１３ａの内周面３４との間に第１〜第４デバイス収容スペース３６ａ〜３６ｄ（第１〜第ｎデバイス収容スペース）が形成される。
【００５８】
光を照射する照明用の光ファイバ１４（デバイス）は、第１デバイス収容スペース３６ａ及び第３デバイス収容スペース３６ｃに収容（設置）されている。光を受光する受光用の光ファイバ１５は、第２デバイス収容スペース３６ｂ及び第４デバイス収容スペース３６ｄに収容（設置）されている。第１及び第３デバイス収容スペース３６ａ，３６ｃに収容された照明用の光ファイバ１４は、デバイス収容スペース３０ａからセンサモジュール収容スペース３１を通ってホルダー１３ａの外側に延出し、各種光機器（図示せず）に接続されている。
【００５９】
第２及び第４デバイス収容スペース３６ｂ，３６ｄに収容された受光用の光ファイバ１５は、デバイス収容スペース３６ｂ，３６ｄからセンサモジュール収容スペース３１を通ってホルダー１３ａの外側に延出し、各種光電素子（図示せず）に接続されている。第１〜第４デバイス収容スペース３６ａ〜３６ｄには、接着剤（固定手段）又は合成樹脂（固定手段）が注入（充填）されている。接着剤や合成樹脂は、第１〜第４デバイス収容スペース３６ａ〜３６ｄにおいて硬化している。たとえば、接着剤や合成樹脂を黒色や灰色とした場合、それらデバイス収容スペース３６ａ〜３６ｄからカバーガラス１６ａやレンズ１８ａの各側面２１，２６に入射する光を遮断することができる。
【００６０】
照明用の光ファイバ１４は、その先端が物体側に向かった状態で、硬化した接着剤や合成樹脂によって第１及び第３デバイス収容スペース３６ａ，３６ｃに固定されている。なお、第１及び第３デバイス収容スペース３６ａ，３６ｃに接着剤（固定手段）又は合成樹脂（固定手段）が注入（充填）されず、照明用の光ファイバ１４（デバイス）がそれらデバイス収容スペース３６ａ，３６ｃにフリー（自由）状態で収容されていてもよい。
【００６１】
受光用の光ファイバ１５は、その先端が物体側に向かった状態で、硬化した接着剤や合成樹脂によって第２及び第４デバイス収容スペース３６ｂ，３６ｄに固定されている。なお、第２及び第４デバイス収容スペース３６ｂ，３６ｄに接着剤（固定手段）又は合成樹脂（固定手段）が注入（充填）されず、受光用の光ファイバ１５（デバイス）がそれらデバイス収容スペース３６ｂ，３６ｄにフリー（自由）状態で収容されていてもよい。
【００６２】
第１及び第３デバイス収容スペース３６ａ，３６ｃには、１つの照明用の光ファイバ１４が収容されているが、それらデバイス収容スペース３６ａ，３６ｃに２つ以上（複数）の照明用の光ファイバ１４が収容されていてもよい。第２及び第４デバイス収容スペース３６ｂ，３６ｄには、受光用の光ファイバ１５（異なる種類のデバイス）が収容されているが、照明用の光ファイバ１４（同一の種類のデバイス）が第２及び第４デバイス収容スペース３６ｂ，３６ｄに収容されていてもよい。
【００６３】
第２及び第４デバイス収容スペース３６ｂ，３６ｄには、１つの受光用の光ファイバ１５が収容されているが、それらデバイス収容スペース３６ｂ，３６ｄに２つ以上（複数）の受光用の光ファイバ１５が収容されていてもよい。第１及び第３デバイス収容スペース３６ａ，３６ｃには、照明用の光ファイバ１４（異なる種類のデバイス）が収容されているが、受光用の光ファイバ１５（同一の種類のデバイス）が第１及び第３デバイス収容スペース３６ａ，３６ｃに収容されていてもよい。
【００６４】
第１〜第４デバイス収容スペース３６ａ〜３６ｄのうちの少なくとも１つのデバイス収容スペースに照明用の光ファイバ１４のみが収容されていてもよく、第１〜第４デバイス収容スペース３６ａ〜３６ｄのうちの少なくとも１つのデバイス収容スペースに受光用の光ファイバ１５のみが収容されていてもよい。第１〜第４デバイス収容スペース３６ａ〜３６ｄのうちの少なくとも１つのデバイス収容スペースに少なくとも１つの照明用の光ファイバ１４と少なくとも１つの受光用の光ファイバ１５とが収容されていてもよい。
【００６５】
第１〜第４デバイス収容スペース３６ａ〜３６ｄのうちの少なくとも１つのデバイス収容スペースには、照明用の光ファイバ１４や光を受光する受光用の光ファイバ１５の他に、又は、照明用の光ファイバ１４や光を受光する受光用の光ファイバ１５とともに、所定の検査箇所や所定の検査部位の温度を測定する温度センサー、所定の検査箇所や所定の検査部位の湿度を測定する湿度センサー、所定の検査箇所や所定の検査部位に所定の気体を噴射するエアー噴射チューブ、所定の検査箇所や所定の検査部位に所定の液体を注入する液体注入チューブ、所定の検査箇所や所定の検査部位の光を検出するフォトディテクター、所定の検査箇所や所定の検査部位の線量を測定する線量計、所定の検査部位を切除するワイヤーカッターのうちの少なくとも１種類のデバイスを収容することができる。第１〜第４デバイス収容スペース３６ａ〜３６ｄのうちの少なくとも１つのデバイス収容スペースには、１つ又は２つ以上（複数）のそれらデバイスが収容される。
【００６６】
小型レンズユニット１０Ａは、断面形状が正四角形のレンズブロック１２ａを断面形状が円形（真円）のブロック収容スペース３０ａに収容（ブロック収容スペース３０ａの断面形状と異なる断面形状のレンズブロック１２ａをブロック収容スペース３０ａに収容）することで、レンズブロック１２ａの外周面３５とホルダー１３ａの内周面３４との間に必然的に第１〜第４デバイス収容スペース３６ａ〜３６ｄ（第１〜第ｎデバイス収容スペース）が形成されるから、円形（真円）の断面形状のブロック収容スペース３０ａを有するホルダー１３ａと正四角形の断面形状のレンズブロック１２ａとを製造すればよく、複雑な構造を採用する必要はなく加工難易度を低くすることができ、それらデバイス収容スペース３６ａ〜３６ｄが形成された小型レンズユニット１０Ａを容易に作ることができる。
【００６７】
小型レンズユニット１０Ａは、円形（真円）の断面形状のブロック収容スペース３０ａを有するホルダー１３ａと正四角形の断面形状のレンズブロック１２ａ（正四角形の断面形状のカバーガラス１６ａ、正四角形の断面形状のレンズ１８ａ）とを製造すればよいから、精度の狂いがない正四角柱のカバーガラス１６ａを備えた小型レンズユニット１０Ａを廉価に作ることができ、小型レンズユニット１０Ａを機械的に効率よく製造（量産）することができる。
【００６８】
小型レンズユニット１０Ａは、正四角形の断面形状を有するレンズブロック１２ａの外周面３５と円形（真円）の断面形状のブロック収容スペース３０ａを有するホルダー１３ａの内周面３４との間に形成された第１及び第３デバイス収容スペース３６ａ，３６ｃに照明用の光ファイバ１４が収容され、第２及び第４デバイス収容スペース３６ｂ，３６ｄに受光用の光ファイバ１５が収容され、小型レンズユニット１０Ａが内視鏡に使用されたときに照明用の光ファイバ１４を利用して所定の検査箇所の暗所や所定の検査部位の暗部を照らすことができ、受光用の光ファイバ１５を利用して所定の検査箇所の光や所定の検査部位の光を電気信号に変換することができる。小型レンズユニット１０Ａは、第１〜第４デバイス収容スペース３６ａ〜３６ｄに各種のデバイスを収容することができるから、小型であるにもかかわらず、必要な用途にあわせた各種のデバイスを小型レンズユニット３６ａ〜３６ｄに設置することができ、各デバイスを利用することで撮像機能の他に各種の機能を実現することができる。
【００６９】
小型レンズユニット１０Ａは、ガラス材やレンズ材をカットすることで、前端面１９，２４から後端面２０，２５に続く側面２１，２６の形状が正四角柱（四角柱）のカバーガラス１６ａやレンズ１８ａを容易に作ることができるとともに、正四角柱の前端面１９と各側面２１とが交差する角をカットすることでカバーガラス１６ａの角を容易に面取りすることができ、カバーガラス１６ａやレンズ１８ａを含むレンズブロック１２ａを機械的に効率よく量産することができる。小型レンズユニット１０Ａは、カバーガラス１６ａの前端面１９と各側面とが交差する角が面取りされることで、カバーガラス１６ａの角の不用意な破損や損壊を防ぐことができる。
【００７０】
小型レンズユニット１０Ａは、カバーガラス１６ａの４つの各角２２（カバーガラス１６ａの４つの各角２２の少なくとも２つの各角）及びレンズ１８ａの４つの各角２７（レンズ１８ａの４つの各角２７の少なくとも２つの各角）がホルダー１３ａのブロック収容スペース３０ａの内周面３４に当接するから、ホルダー１３ａのブロック収容スペース３０ａにおいてレンズブロック１２ａ（カバーガラス１６ａ、絞りパターン１７ａ、レンズ１８ａ）がずれ動くことはなく、レンズブロック１２ａをホルダー１３ａのブロック収容スペース３０ａに固定することができる。
【００７１】
小型レンズユニット１０Ａは、ホルダー１３ａの外径Ｌ４が０．５ｍｍ〜３ｍｍの範囲（ブロック収容スペース３０ａの最大内径が０．４ｍｍ〜２ｍｍの範囲）にあるから、レンズユニット１０Ａを小型にすることができ、小型の撮像素子に好適に連結することが可能な小型のレンズユニット１０Ａを作ることができる。
【００７２】
図５は、他の一例として示す小型レンズユニット１０Ｂの斜視図であり、図６は、図５の小型レンズユニット１０Ｂの上面図である。図７は、図６のＢ−Ｂ線断面図である。図５では、前後方向を矢印Ｘで示し、径方向を矢印Ｙで示す。
【００７３】
図５の小型レンズユニット１０Ｂが図１のそれと異なるところは、カバーガラス１６ｂの前端面１９から後端面２０にかけての径方向の断面形状が正三角形に形成され、絞りパターン１７ｂの径方向の断面形状が正三角形に形成されているとともに、レンズ１８ｂの前端面２４から後端面２５にかけての径方向の断面形状が正三角形に形成されている点、レンズブロック１２ｂの外周面３５とホルダー１３ａの内周面３４との間に第１〜第３デバイス収容スペース３７ａ〜３７ｃが形成されている点、第１デバイス収容スペース３７ａに受光用の光ファイバ１５が収容（設置）され、第２デバイス収容スペース３７ｂにエアー噴射チューブ３８が収容（設置）されているとともに、第３デバイス収容スペース３７ｃに液体注入チューブ３９が収容（設置）されている点にあり、その他の構成は図１の小型レンズユニット１０Ａのそれらと同一であるから、図１と同一の符号を付すとともに、図１の説明を援用することで、この小型レンズユニット１０Ｂのその他の構成の詳細な説明は省略する。
【００７４】
小型レンズユニット１０Ｂは、レンズブロック１２ｂと、ホルダー１３ａと、光を照射する照明用の光ファイバ１４（デバイス）と、所定の気体を噴射するエアー噴射チューブ３８と、所定の液体を注入する液体注入チューブ３９とから形成されている。レンズブロック１２ｂは、前後方向（一方向）へ並んだ状態で一体になったカバーガラス１６ｂと絞りパターン１７ｂ（絞り手段）とレンズ１８ｂとから形成されている。
【００７５】
カバーガラス１６ｂは、前後端面１９，２０及び３つの側面２１と３つの角２２とを有する。カバーガラス１６ｂは、物体側の前端面１９から後端面２０に続く側面２１の形状が正三角柱（三角柱）に形成され、物体側の前端面１９から後端面２０に続く径方向の断面形状が正三角形（三角形）に形成されている。カバーガラス１６ｂは、前端面１９と各側面２１（周面）とが交差する角がカットされ、前端面１９と各側面２１とが交差する角が面取りされている。カバーガラス１６ｂは、一辺の長さＬ１が約１ｍｍであり、その厚み寸法Ｌ２が０．３ｍｍである。カバーガラス１６ｂの一辺に長さＬ１や厚み寸法Ｌ２は、小型レンズユニット１０Ｂを使用する内視鏡のセンサモジュール１１の種類によって適宜決定され、カバーガラス１６ｂの一辺の長さＬ１や厚み寸法Ｌ２に特に制限はない。
【００７６】
絞りパターン１７ｂは、カバーガラス１６ｂの断面形状が正三角形の後端面２０の全域にマスキングされた光を遮断する色（たとえば、黒色や灰色等）のクロム膜であり、その中心に円形の貫通孔２３が穿孔されている。絞りパターン１７ｂは、その径方向の断面形状が正三角形（三角形）であり、断面形状がカバーガラス１６ｂの断面形状と同一である。
【００７７】
レンズ１８ｂは、前後端面２４，２５及び３つの側面２６と３つの角２７とを有する。レンズ１８ｂは、物体側（カバーガラス１６ｂ側）の前端面２４から後端面２５に続く径方向の断面形状が正三角形（三角形）に形成されている。レンズ１８ｂは、その断面形状がカバーガラス１６ｂの断面形状と同一である。レンズ１８ｂの径方向の最大径Ｌ３は、図１の小型レンズユニット１０Ａのそれと同一である。レンズブロック１２ｂは、物体側の前端面（カバーガラス１６ｂの前端面１９）から後端面（レンズ１８ｂの後端面２５）に続く径方向の断面形状が正三角形（三角形）に形成されている。
【００７８】
ホルダー１３ａは、図１の小型レンズユニット１０Ａのそれと同一であり、胴部２８及び脚部２９と、ブロック収容スペース３０ａ及びセンサモジュール収容ペース３１とを有し、胴部２８の直径Ｌ４（ホルダー１３ａの外径）が１．４ｍｍである。ホルダー１３ａの胴部２８の直径Ｌ４（ホルダー１３ａの外径）は、０．５ｍｍ〜３ｍｍの範囲で調節される。
【００７９】
ブロック収容スペース３０ａは、ホルダー１３ａの胴部２８の物体側の前端３２から後端３３に続く径方向の断面形状が円形（真円）に形成されている。ブロック収容スペース３０ａの最大内径は、０．４ｍｍ〜２ｍｍの範囲で調節される。ブロック収容スペース３０ａには、レンズブロック１２ｂ（カバーガラス１６ｂ、絞りパターン１７ｂ（絞り手段）、レンズ１８ｂ）が収容されている（嵌め込まれている）。センサモジュール収容スペース３１には、センサモジュール１１が嵌め込まれる（図４参照）。
【００８０】
小型レンズユニット１０Ｂでは、レンズブロック１２ｂの正三角柱の３つの角（カバーガラス１６ｂの正三角柱の３つの角２２、レンズ１８ｂの３つの角２７）がホルダー１３ａの胴部２８の内周面３４に当接し、ブロック収容スペース３０ａに収容されたレンズブロック１２ｂがホルダー１３ａに支持され、レンズブロック１２ｂがホルダー１３ａに固定されている。ホルダー１３ａの胴部２８は、レンズブロック１２ｂの断面形状が正三角形の外接円となる。なお、レンズブロック１２ｂの３つの角のうちの少なくとも２つの角がホルダー１３ａの胴部２８の内周面３４に当接し、その状態でレンズブロック１２ｂがホルダー１３ａに支持（固定）されていればよい。
【００８１】
小型レンズユニット１０Ｂには、レンズブロック１２ｂの外周面３５（各側面）から径方向外方へ凸となって所定のデバイスを収容可能な第１〜第３デバイス収容スペース３７ａ〜３７ｃ（第１〜第ｎデバイス収容スペース）が形成されている。第１〜第３デバイス収容スペース３７ａ〜３７ｃは、レンズブロック１２ｂの外周面３５とホルダー１３ａの内周面３４との間に形成され、レンズブロック１２ｂ（ホルダー１３ａ）の周り方向へ並んでいる。第１〜第３デバイス収容スペース３７ａ〜３７ｃは、その平面形状や面積（大きさ）が略同一である。
【００８２】
小型レンズユニット１０Ｂでは、ホルダー１３ａの胴部２８の物体側の前端３２から後端３３に続くブロック収容スペース３０ａの径方向の断面形状（円形）がレンズブロック１２ｂの物体側の前端面（カバーガラス１６ｂの前端面１９）から後端面（レンズ１８ｂの後端面２５）に続く径方向の断面形状（三角形）と異なり、ブロック収容スペース３０ａの断面形状（円形）と異なる断面形状（三角形）のレンズブロック１２ｂ（断面形状が三角形に形成されたレンズブロック１２ｂ）をブロック収容スペース３０ａに収容することで、レンズブロック１２ｂの外周面３５とホルダー１３ａの内周面３４との間に第１〜第３デバイス収容スペース３７ａ〜３７ｃが形成される。
【００８３】
照明用の光ファイバ１４（デバイス）は、第１デバイス収容スペース３７ａに収容（設置）され、エアー噴射チューブ３８（デバイス）は、第２デバイス収容スペース３７ｂに収容（設置）されている。液体注入チューブ３９は、第３デバイス収容スペース３７ｃに収容（設置）されている。第１デバイス収容スペース３７ａに収容された照明用の光ファイバ１４は、デバイス収容スペース３７ａからセンサモジュール収容スペース３１を通ってホルダー１３ａの外側に延出し、各種光機器（図示せず）に接続されている。第２デバイス収容スペース３７ｂに収容されたエアー噴射チューブ３８と第３デバイス収容スペース３７ｃに収容された液体注入チューブ３９とは、デバイス収容スペース３７ｂ，３７ｃからセンサモジュール収容スペース３１を通ってホルダー１３ａの外側に延出し、小型ポンプや小型タンク等の外部機器（図示せず）に接続されている。
【００８４】
第１〜第３デバイス収容スペース３７ａ〜３７ｃには、接着剤（固定手段）又は合成樹脂（固定手段）が注入（充填）され、接着剤や合成樹脂が第１〜第３デバイス収容スペース３７ａ〜３７ｃにおいて硬化している。照明用の光ファイバ１４は、その先端が物体側に向かった状態で、硬化した接着剤や合成樹脂によって第１デバイス収容スペース３７ａに固定され、エアー噴射チューブ３８は、その先端が物体側に向かった状態で、硬化した接着剤や合成樹脂によって第２デバイス収容スペース３７ｂに固定されている。液体注入チューブ３９は、その先端が物体側に向かった状態で、硬化した接着剤や合成樹脂によって第３デバイス収容スペース３７ｃに固定されている。なお、第１〜第３デバイス収容スペース３７ａ〜３７ｃに接着剤（固定手段）又は合成樹脂（固定手段）が注入（充填）されず、照明用の光ファイバ１４やエアー噴射チューブ３８、液体注入チューブ３９がそれらデバイス収容スペース３７ａ〜３７ｃにフリー（自由）状態で収容されていてもよい。
【００８５】
第１デバイス収容スペース３７ａには、１つの照明用の光ファイバ１４が収容されているが、デバイス収容スペース３７ａに２つ以上（複数）の照明用の光ファイバ１４が収容されていてもよい。第１〜第３デバイス収容スペース３７ａ〜３７ｃに照明用の光ファイバ１４とともにエアー噴射チューブ３８（異なる種類のデバイス）と液体注入チューブ３９（異なる種類のデバイス）とのうちの少なくとも一方が収容されていてもよい。
【００８６】
第２及び第３デバイス収容スペース３７ｂ，３７ｃには、１つのエアー噴射チューブ３８と１つの液体注入チューブ３９とが収容されているが、それらデバイス収容スペース３７ｂ，３７ｃに２つ以上（複数）のエアー噴射チューブ３８と２つ以上（複数）の液体注入チューブ３９とが収容されていてもよい。第１〜第３デバイス収容スペース３７ａ〜３７ｃのうちの少なくとも１つのデバイス収容スペースに照明用の光ファイバ１４のみが収容されていてもよく、第１〜第３デバイス収容スペース３７ａ〜３７ｃのうちの少なくとも１つのデバイス収容スペースにエアー噴射チューブ３８のみが収容されていてもよい。第１〜第３デバイス収容スペース３７ａ〜３７ｃのうちの少なくとも１つのデバイス収容スペースに少なくとも１つの液体注入チューブ３９のみが収容されていてもよい。
【００８７】
第１〜第３デバイス収容スペース３７ａ〜３７ｃのうちの少なくとも１つのデバイス収容スペースには、照明用の光ファイバ１４やエアー噴射チューブ３８、液体注入チューブ３９の他に、又は、照明用の光ファイバやエアー噴射チューブ、液体注入チューブとともに、光を受光する受光用の光ファイバ、温度センサー、湿度センサー、フォトディテクター、線量計、ワイヤーカッターのうちの少なくとも１種類のデバイスを収容することができる。第１〜第３デバイス収容スペース３７ａ〜３７ｃのうちの少なくとも１つのデバイス収容スペースには、１つ又は２つ以上（複数）のそれらデバイスが収容される。
【００８８】
小型レンズユニット１０Ｂは、断面形状が正三角形のレンズブロック１２ｂを断面形状が円形（真円）のブロック収容スペース３０ａに収容（ブロック収容スペース３０ａの断面形状と異なる断面形状のレンズブロック１２ｂをブロック収容スペース３０ａに収容）することで、レンズブロック１２ｂの外周面３５とホルダー１３ａの内周面３４との間に必然的に第１〜第３デバイス収容スペース３７ａ〜３７ｃ（第１〜第ｎデバイス収容スペース）が形成されるから、円形（真円）の断面形状のブロック収容スペース３０ａを有するホルダー１３ａと正三角形の断面形状のレンズブロック１２ｂとを製造すればよく、複雑な構造を採用する必要はなく加工難易度を低くすることができ、それらデバイス収容スペース３７ａ〜３７ｃが形成された小型レンズユニット１０Ｂを容易に作ることができる。
【００８９】
小型レンズユニット１０Ｂは、円形（真円）の断面形状のブロック収容スペース３０ａを有するホルダー１３ａと正三角形の断面形状のレンズブロック１２ｂ（正三角形の断面形状のカバーガラス１６ｂ、正三角形の断面形状のレンズ１８ｂ）とを製造すればよいから、精度の狂いがない正三角柱のカバーガラス１６ｂを備えたレンズユニット１０Ｂを廉価に作ることができ、小型レンズユニット１０Ｂを機械的に効率よく製造（量産）することができる。
【００９０】
小型レンズユニット１０Ｂは、正三角形の断面形状を有するレンズブロック１２ｂの外周面３５と円形（真円）の断面形状のブロック収容スペース３０ａを有するホルダー１３ａの内周面３４との間に形成された第１デバイス収容スペース３７ａに照明用の光ファイバ１４が収容され、第２及び第３デバイス収容スペース３７ｂ，３７ｃにエアー噴射チューブ３８及び液体注入チューブ３９が収容され、小型レンズユニット１０Ｂが内視鏡に使用されたときに照明用の光ファイバ１４を利用して所定の検査箇所の暗所や所定の検査部位の暗部を照らすことができ、エアー噴射チューブ３８を利用して所定の検査箇所や所定の検査部位に所定の気体を噴射することができるとともに、液体注入チューブ３９を利用して所定の検査箇所や所定の検査部位に所定の液体を注入することができる。小型レンズユニット１０Ｂは、第１〜第３デバイス収容スペース３７ａ〜３７ｃに各種のデバイスを収容することができるから、小型であるにもかかわらず、必要な用途にあわせた各種のデバイスを小型レンズユニット１０Ｂに設置することができ、各デバイスを利用することで撮像機能の他に各種の機能を実現することができる。
【００９１】
小型レンズユニット１０Ｂは、ガラス材やレンズ材をカットすることで、前端面１９，２４から後端面２０，２５に続く側面２１，２６の形状が正三角柱（四角柱）のカバーガラス１６ｂやレンズ１８ｂを容易に作ることができるとともに、正三角柱の前端面１９と各側面２１とが交差する角をカットすることでカバーガラス１６ｂの角を容易に面取りすることができ、カバーガラス１６ｂやレンズ１８ｂを含むレンズブロック１２ｂを機械的に効率よく量産することができる。小型レンズユニット１０Ｂは、カバーガラス１６ｂの前端面１９と各側面２１とが交差する角が面取りされることで、カバーガラス１６ｂの角の不用意な破損や損壊を防ぐことができる。
【００９２】
小型レンズユニット１０Ｂは、カバーガラス１６ｂの３つの各角２２（カバーガラス１６ｂの３つの各角２２の少なくとも２つの各角２２）及びレンズ１８ｂの３つの各角２７（レンズ１８ｂの３つの各角２７の少なくとも２つの各角２７）がホルダー１３ａのブロック収容スペース３０ａの内周面３４に当接するから、ホルダー１３ａのブロック収容スペース３０ａにおいてレンズブロック１２ｂ（カバーガラス１６ｂ、絞りパターン１７ｂ、レンズ１８ｂ）がずれ動くことはなく、レンズブロック１２ｂをホルダー１３ａのブロック収容スペース３０ａに固定することができる。
【００９３】
小型レンズユニット１０Ｂは、ホルダー１３ａの外径Ｌ４が０．５ｍｍ〜３ｍｍの範囲（ブロック収容スペース３０ａの最大内径が０．４ｍｍ〜２ｍｍの範囲）にあるから、レンズユニット１０Ｂを小型にすることができ、小型の撮像素子に好適に連結することが可能な小型のレンズユニット１０Ｂを作ることができる。
【００９４】
図８は、他の一例として示す小型レンズユニット１０Ｃの斜視図であり、図９は、図８の小型レンズユニット１０Ｃの上面図である。図１０は、図９のＣ−Ｃ線断面図である。図８では、前後方向を矢印Ｘで示し、径方向を矢印Ｙで示す。
【００９５】
図８のレンズユニット１０Ｃが図１のそれと異なるところは、カバーガラス１６ｃの前端面１９から後端面２０にかけての径方向の断面形状が正六角形に形成され、絞りパターン１７ｃの径方向の断面形状が正六角形に形成されているとともに、レンズ１８ｃの前端面２４から後端面２５にかけての径方向の断面形状が正六角形に形成されている点、レンズブロック１２ｃの外周面３５とホルダー１３ａの内周面３４との間に第１〜第６デバイス収容スペース４０ａ〜４０ｆが形成されている点、第１〜第６デバイス収容スペース４０ａ〜４０ｆに照明用の光ファイバ１４が収容（設置）されている点にあり、その他の構成は図１のレンズユニット１０Ａのそれらと同一であるから、図１と同一の符号を付すとともに、図１の説明を援用することで、このレンズユニット１０Ｃのその他の構成の詳細な説明は省略する。
【００９６】
小型レンズユニット１０Ｃは、レンズブロック１２ｃと、ホルダー１３ａと、光を照射する照明用の光ファイバ１４（デバイス）とから形成されている。レンズブロック１２ｃは、前後方向（一方向）へ並んだ状態で一体になったカバーガラス１６ｃと絞りパターン１７ｃ（絞り手段）とレンズ１８ｃとから形成されている。カバーガラス１６ｃは、前後端面１９，２０及び６つの側面２１と６つの角２２とを有する。カバーガラス１６ｃは、物体側の前端面１９から後端面２０に続く側面２１の形状が正六角柱（六角柱）に形成され、物体側の前端面１９から後端面２０に続く径方向の断面形状が正六角形（六角形）に形成されている。
【００９７】
カバーガラス１６ｃは、前端面１９と各側面２１（周面）とが交差する角がカットされ、前端面１９と各側面２１とが交差する角が面取りされている。カバーガラス１６ｃは、径方向の最大長さＬ１が１．２ｍｍであり、その厚み寸法Ｌ２が０．３ｍｍである。カバーガラス１６ｃの径方向の最大長さＬ１や厚み寸法Ｌ２は、小型レンズユニット１０Ｃを使用する内視鏡のセンサモジュール１１の種類によって適宜決定され、カバーガラス１６ｃの径方向の最大長さＬ１や厚み寸法Ｌ２に特に制限はない。
【００９８】
絞りパターン１７ｃは、カバーガラス１６ｃの断面形状が正六角形の後端面２０の全域にマスキングされた光を遮断する色（たとえば、黒色や灰色等）のクロム膜であり、その中心に円形の貫通孔２３が穿孔されている。絞りパターン１７ｃは、その径方向の断面形状が正六角形（六角形）であり、断面形状がカバーガラス１６ｃの断面形状と同一である。
【００９９】
レンズ１７ｃは、前後端面２４，２５及び６つの側面２６と６つの角２７とを有する。レンズ１７ｃは、物体側（カバーガラス１６ｃ側）の前端面２４から後端面２５に続く径方向の断面形状が正六角形（六角形）に形成されている。レンズ１７ｃは、その断面形状がカバーガラス１６ｃの断面形状と同一である。レンズ１７ｃの径方向の最大径Ｌ３は、カバーガラス１６ｃの径方向の最大長さＬ１と同一である。レンズブロック１２ｃは、物体側の前端面（カバーガラス１６ｃの前端面１９）から後端面（レンズ１８ｃの後端面２５）に続く径方向の断面形状が正六角形（六角形）に形成されている。
【０１００】
ホルダー１３ａは、図１の小型レンズユニット１０Ａのそれと同一であり、胴部２８及び脚部２９と、ブロック収容スペース３０ａ及びセンサモジュール収容ペース３１とを有し、胴部２８の直径Ｌ４（ホルダー１３ａの外径）が１．４ｍｍである。ホルダー１３ａの胴部２８の直径Ｌ４（ホルダー１３ａの外径）は、０．５ｍｍ〜３ｍｍの範囲で調節される。
【０１０１】
ブロック収容スペース３０ａは、ホルダー１３ａの胴部２８の物体側の前端３２から後端３３に続く径方向の断面形状が円形（真円）に形成されている。ブロック収容スペース３０ａの最大内径は、０．４ｍｍ〜２ｍｍの範囲で調節される。ブロック収容スペース３０ａには、レンズブロック１２ｃ（カバーガラス１６ｃ、絞りパターン１７ｃ（絞り手段）、レンズ１８ｃ）が収容されている（嵌め込まれている）。センサモジュール収容スペース３１には、センサモジュール１１が嵌め込まれる（図４参照）。
【０１０２】
小型レンズユニット１０Ｃでは、レンズブロック１２ｃの正六角柱の６つの角（カバーガラス１６ｃの正六角柱の６つの角２２、レンズ１８ｃの６つの角２７）がホルダー１３ａの胴部２８の内周面３４に当接し、ブロック収容スペース３０ａに収容されたレンズブロッ１２ｃクがホルダー１３ａに支持され、レンズブロック１２ｃがホルダー１３ａに固定されている。ホルダー１３ａの胴部２８は、レンズブロック１２ｃの断面形状が正六角形の外接円となる。なお、レンズブロック１２ｃの６つの角のうちの少なくとも２つの角がホルダー１３ａの胴部２８の内周面３４に当接し、その状態でレンズブロック１２ｃがホルダー１３ａに支持（固定）されていればよい。
【０１０３】
小型レンズユニット１０Ｃには、レンズブロック１２ｃの外周面３５から径方向外方へ凸となって所定のデバイスを収容可能な第１〜第６デバイス収容スペース４０ａ〜４０ｆ（第１〜第ｎデバイス収容スペース）が形成されている。第１〜第６デバイス収容スペース４０ａ〜４０ｆは、レンズブロック１２ｃの外周面３５とホルダー１３ａの内周面３４との間に形成され、レンズブロック１２ｃ（ホルダー１３ａ）の周り方向へ並んでいる。第１〜第６デバイス収容スペース４０ａ〜４０ｆは、その平面形状や面積（大きさ）が略同一である。
【０１０４】
小型レンズユニット１０Ｃでは、ホルダー１３ａの胴部２８の物体側の前端３２から後端３３に続くブロック収容スペース３０ａの径方向の断面形状（円形）がレンズブロック１２ｃの物体側の前端面（カバーガラス１６ｃの前端面１９）から後端面（レンズ１８ｃの後端面２５）に続く径方向の断面形状（六角形）と異なり、ブロック収容スペース３０ａの断面形状（円形）と異なる断面形状（六角形）のレンズブロック１２ｃ（断面形状が六角形に形成されたレンズブロック１２ｃ）をブロック収容スペース３０ａに収容することで、レンズブロック１２ｃの外周面３５とホルダー１３ａの内周面３４との間に第１〜第６デバイス収容スペース４０ａ〜４０ｆが形成される。
【０１０５】
照明用の光ファイバ１４（デバイス）は、第１〜第６デバイス収容スペース４０ａ〜４０ｆに収容（設置）されている。第１〜第６デバイス収容スペース４０ａ〜４０ｆに収容された照明用の光ファイバ１４は、デバイス収容スペース４０ａ〜４０ｆからセンサモジュール収容スペース３１を通ってホルダー１３ａの外側に延出し、各種光機器（図示せず）に接続されている。
【０１０６】
第１〜第６デバイス収容スペース４０ａ〜４０ｆには、接着剤（固定手段）又は合成樹脂（固定手段）が注入（充填）され、接着剤や合成樹脂が第１〜第６デバイス収容スペース４０ａ〜４０ｆにおいて硬化している。照明用の光ファイバ１４は、その先端が物体側に向かった状態で、硬化した接着剤や合成樹脂によって第１〜第６デバイス収容スペース４０ａ〜４０ｆに固定されている。なお、第１〜第６デバイス収容スペース４０ａ〜４０ｆに接着剤（固定手段）又は合成樹脂（固定手段）が注入（充填）されず、照明用の光ファイバ１４がそれらデバイス収容スペース４０ａ〜４０ｆにフリー（自由）状態で収容されていてもよい。
【０１０７】
第１〜第６デバイス収容スペース４０ａ〜４０ｆには、１つの照明用の光ファイバ１４が収容されているが、デバイス収容スペース４０ａ〜４０ｆに２つ以上（複数）の照明用の光ファイバ１４が収容されていてもよい。第１〜第６デバイス収容スペース４０ａ〜４０ｆのうちの少なくとも１つのデバイス収容スペース４０ａ〜４０ｆに照明用の光ファイバ１４が収容されていてもよい。
【０１０８】
第１〜第６デバイス収容スペース４０ａ〜４０ｆのうちの少なくとも１つのデバイス収容スペース４０ａ〜４０ｆには、照明用の光ファイバ１４の他に、又は、照明用の光ファイバ１４とともに、光を受光する受光用の光ファイバ、温度センサー、湿度センサー、所定の気体を噴射するエアー噴射チューブ３８、所定の液体を注入する液体注入チューブ３９、フォトディテクター、線量計、ワイヤーカッターのうちの少なくとも１種類のデバイスを収容することができる。第１〜第６デバイス収容スペース４０ａ〜４０ｆのうちの少なくとも１つのデバイス収容スペース４０ａ〜４０ｆには、１つ又は２つ以上（複数）のそれらデバイスが収容される。
【０１０９】
小型レンズユニット１０Ｃは、断面形状が正六角形のレンズブロック１２ｃを断面形状が円形（真円）のブロック収容スペース３０ａに収容（ブロック収容スペース３０ａの断面形状と異なる断面形状のレンズブロック１２ｃをブロック収容スペース３０ａに収容）することで、レンズブロック１２ｃの外周面３５とホルダー１３ａの内周面３４との間に必然的に第１〜第６デバイス収容スペース４０ａ〜４０ｆ（第１〜第ｎデバイス収容スペース）が形成されるから、円形（真円）の断面形状のブロック収容スペース３０ａを有するホルダー１３ａと正六角形の断面形状のレンズブロック１２ｃとを製造すればよく、複雑な構造を採用する必要はなく加工難易度を低くすることができ、それらデバイス収容スペース４０ａ〜４０ｆが形成された小型レンズユニット１０Ｃを容易に作ることができる。
【０１１０】
小型レンズユニット１０Ｃは、円形（真円）の断面形状のブロック収容スペース３０ａを有するホルダー１３ａと正六角形の断面形状のレンズブロック１２ｃ（正六角形の断面形状のカバーガラス１６ｃ、正六角形の断面形状のレンズ１８ｃ）とを製造すればよいから、精度の狂いがない正六角柱のカバーガラス１６ｃを備えた小型レンズユニット１０Ｃを廉価に作ることができ、小型レンズユニット１０Ｃを機械的に効率よく製造（量産）することができる。
【０１１１】
小型レンズユニット１０Ｃは、正六角形の断面形状を有するレンズブロック１２ｃの外周面３５と円形（真円）の断面形状のブロック収容スペース３０ａを有するホルダー１３ａの内周面３４との間に形成された第１〜第６デバイス収容スペース４０ａ〜４０ｆに照明用の光ファイバ１４が収容され、小型レンズユニット１０Ｃが内視鏡に使用されたときに照明用の光ファイバ１４を利用して所定の検査箇所の暗所や所定の検査部位の暗部を照らすことができる。小型レンズユニット１０Ｃは、第１〜第６デバイス収容スペース４０ａ〜４０ｆに各種のデバイスを収容することができるから、小型であるにもかかわらず、必要な用途にあわせた各種のデバイスを小型レンズユニット１０Ｃに設置することができ、各デバイスを利用することで撮像機能の他に各種の機能を実現することができる。
【０１１２】
小型レンズユニット１０Ｃは、ガラス材やレンズ材をカットすることで、前端面１９，２４から後端面２０，２５に続く側面２１，２６の形状が正六角柱（六角柱）のカバーガラス１６ｃやレンズ１８ｃを容易に作ることができるとともに、正六角柱の前端面１９と各側面２１とが交差する角をカットすることでカバーガラス１６ｃの角を容易に面取りすることができ、カバーガラス１６ｃやレンズ１８ｃを含むレンズブロック１２ｃを機械的に効率よく量産することができる。小型レンズユニット１０Ｃは、カバーガラス１６ｃの前端面１９と各側面２１とが交差する角が面取りされることで、カバーガラス１６ｃの角の不用意な破損や損壊を防ぐことができる。
【０１１３】
小型レンズユニット１０Ｃは、カバーガラス１６ｃの６つの各角２２（カバーガラス１６ｃの６つの各角２２の少なくとも２つの各角２２）及びレンズ１８ｃの６つの各角２７（レンズ１８ｃの６つの各角２７の少なくとも２つの各角２７）がホルダー１３ａのブロック収容スペース３０ａの内周面３４に当接するから、ホルダー１３ａのブロック収容スペース３０ａにおいてレンズブロック１２ｃ（カバーガラス１６ｃ、絞りパターン１７ｃ、レンズ１８ｃ）がずれ動くことはなく、レンズブロック１２ｃをホルダー１３ａのブロック収容スペース３０ａに固定することができる。
【０１１４】
小型レンズユニット１０Ｃは、ホルダー１３ａの外径Ｌ４が０．５ｍｍ〜３ｍｍの範囲（ブロック収容スペース３０ａの最大内径が０．４ｍｍ〜２ｍｍの範囲）にあるから、レンズユニット１０Ｃを小型にすることができ、小型の撮像素子に好適に連結することが可能な小型のレンズユニット１０Ｃを作ることができる。
【０１１５】
小型レンズユニット１０Ａ〜１０Ｃは、物体側の前端面１９から後端面２０に続くカバーガラス１６ａ〜１６ｃの側面２１の形状が四角柱や三角柱、六角柱以外の多角柱（等角多角柱及び共円多角柱）に形成され、物体側の前端面１９から後端面２０に続くカバーガラス１６ａ〜１６ｃの径方向の断面形状が四角形（長方形や菱形を含む）や三角形（二等辺三角形や直角三角形を含む）、六角形以外の多角形（等角多角形及び共円多角形）に形成されていてもよい。カバーガラス１６ａ〜１６ｃの断面形状が四角形や三角形、六角形以外の多角形（等角多角形及び共円多角形）に形成された場合、絞りパターン１７ａ〜１７ｃの断面形状もカバーガラス１６ａ〜１６ｃのそれと同一の多角形（等角多角形及び共円多角形）に形成され、物体側の前端面２４から後端面２５に続くレンズ１８ａ〜１８ｃの径方向の断面形状もカバーガラス１６ａ〜１６ｃのそれと同一の多角形（等角多角形及び共円多角形）に形成される。カバーガラス１６ａ〜１６ｃや絞りパターン１７ａ〜１７ｃ、レンズ１８ａ〜１８ｃの断面形状が四角形や三角形、六角形以外の多角形（等角多角形及び共円多角形）に形成された場合、物体側の前端面から後端面に続くレンズブロック１２ａ〜１２ｃの径方向の断面形状が四角形や三角形、六角形以外の多角形（等角多角形及び共円多角形）に形成される。
【０１１６】
小型レンズユニット１０Ａ〜１０Ｃ（小型レンズユニット１０Ｄ〜１０Ｇを含む）は、デバイス収容スペース３６ａ〜３６ｄ，３７ａ〜３７ｃ，４０ａ〜４０ｆ（第１〜第ｎデバイス収容スペース）に複数の照明用の光ファイバ１４が収容された場合、それら光ファイバ１４が赤い（Ｒｅｄ）光を発光する光ファイバ１４と緑（Ｇｒｅｅｎ）の光を発光する光ファイバ１３と青（Ｂｌｕｅ）の光を発光する光ファイバ１４とから形成され、光の三原色（ＲＧＢ）を利用して様々な色の光を発光されることもできる。
【０１１７】
物体側の前端面１９から後端面２０に続くカバーガラスの側面２１の形状が正五角柱（等角多角柱）に形成され、物体側の前端面１９から後端面２９に続くカバーガラスの径方向の断面形状が正五角形（等角多角形）に形成され、絞りパターンの断面形状がカバーガラスのそれと同一の正五角形（等角多角形）に形成されるとともに、物体側の前端面２４から後端面２５に続くレンズの径方向の断面形状がカバーガラスのそれと同一の正五角形（等角多角形）に形成され、断面形状が正五角形（等角多角形）のレンズブロックを径方向の断面形状が円形（真円）のブロック収容スペース３０ａに収容した場合、小型レンズユニットのレンズブロックの外周面３５とホルダー１３ａの内周面３４との間には、レンズブロックの外周面３５から径方向外方へ凸となって所定のデバイスを収容可能な第１〜第５デバイス収容スペースが形成される。
【０１１８】
物体側の前端面１９から後端面２０に続くカバーガラスの側面２１の形状が正八角柱（等角多角柱）に形成され、物体側の前端面１９から後端面２０に続くカバーガラスの径方向の断面形状が正八角形（等角多角形）に形成され、絞りパターンの断面形状がカバーガラスのそれと同一の正八角形（等角多角形）に形成されるとともに、物体側の前端面２４から後端面２５に続くレンズの径方向の断面形状がカバーガラスのそれと同一の正八角形（等角多角形）に形成され、断面形状が正八角形（等角多角形）のレンズブロックを径方向の断面形状が円形（真円）のブロック収容スペース３０ａに収容した場合、小型レンズユニットのレンズブロックの外周面３５とホルダー１３ａの内周面３４との間には、レンズブロックの外周面３５から径方向外方へ凸となって所定のデバイスを収容可能な第１〜第８デバイス収容スペースが形成される。
【０１１９】
このように、径方向の断面形状が円形（真円）のブロック収容スペース３０ａに断面形状が等角多角形のレンズブロックを収容すると、レンズブロックの外周面３５とホルダー１３ａの内周面３４との間にレンズブロックの角数と同数のデバイス収容スペースが形成される。従って、レンズブロックの角数を多くすればそれに比例した多くのデバイス収容スペースを形成することができる。なお、レンズブロックの角数が３の場合に形成されるデバイス収容スペース（第１〜第３デバイス収容スペース）の面積（大きさ）が一番大きく、レンズブロックの角数が増えるにしたがってデバイス収容スペース（第１〜第ｎデバイス収容スペース）の面積（大きさ）が次第に小さくなる。
【０１２０】
図１１は、他の一例として示す小型レンズユニット１０Ｄの斜視図であり、図１２は、図１１の小型レンズユニット１０Ｄの上面図である。図１３は、図１２のＤ−Ｄ線断面図である。図１１では、前後方向を矢印Ｘで示し、径方向を矢印Ｙで示す。
【０１２１】
図１１のレンズユニット１０Ｄが図１のそれと異なるところは、カバーガラス１６ｄの前端面１９から後端面２０にかけての径方向の断面形状が円形に形成され、絞りパターン１７ｄの径方向の断面形状が円形に形成されているとともに、レンズ１８ｄの前端面２４から後端面２５にかけての径方向の断面形状が円形に形成されている点、ホルダー１３ｂの胴部２８の物体側の前端３２から後端３３に続くブロック収容スペース３０ｂの径方向の断面形状が正四角形に形成されている点、第１〜第４デバイス収容スペース４１ａ〜４１ｄに照明用の複数の光ファイバ１４が収容（設置）されている点にあり、その他の構成は図１のレンズユニット１０Ａのそれらと同一であるから、図１と同一の符号を付すとともに、図１の説明を援用することで、このレンズユニット１０Ｄのその他の構成の詳細な説明は省略する。
【０１２２】
小型レンズユニット１０Ｄは、レンズブロック１２ｄと、ホルダー１３ｂと、光を照射する照明用の光ファイバ１４（デバイス）とから形成されている。レンズブロック１２ｄは、前後方向（一方向）へ並んだ状態で一体になったカバーガラス１６ｄと絞りパターン１７ｄ（絞り手段）とレンズ１８ｄとから形成されている。カバーガラス１６ｄは、前端面１９及び後端面２０と前後端面１９，２０の間に延びる外周面２１（側面）とを有する。カバーガラス１６ｄは、物体側の前端面１９から後端面２０に続く外周面２１の形状が円柱に形成され、物体側の前端面１９から後端面２０に続く径方向の断面形状が円形（真円）に形成されている。
【０１２３】
カバーガラス１６ｄは、前端面１９と外周面２１とが交差する角がカットされ、前端面１９と外周面２１とが交差する角が面取りされている。カバーガラス１６ｄは、径方向の長さＬ１（直径）が１．２ｍｍであり、その厚み寸法Ｌ２が０．３ｍｍである。カバーガラス１６ｄの径方向の長さＬ１や厚み寸法Ｌ２は、小型レンズユニット１０Ｄを使用する内視鏡のセンサモジュール１１の種類によって適宜決定され、カバーガラス１６ｄの径方向の長さＬ１や厚み寸法Ｌ２に特に制限はない。
【０１２４】
絞りパターン１７ｄは、カバーガラス１６ｄの断面形状が円形の後端面２０の全域にマスキングされた光を遮断する色（たとえば、黒色や灰色等）のクロム膜であり、その中心に円形の貫通孔２３が穿孔されている。絞りパターン１７ｄは、その径方向の断面形状が円形（真円）であり、断面形状がカバーガラス１６ｄの断面形状と同一である。
【０１２５】
レンズ１８ｄは、前端面２４及び後端面２５と前後端面２４，２５の間に延びる外周面２６（側面）とを有する。レンズ１８ｄは、物体側（カバーガラス１６ｄ側）の前端面２４から後端面２５に続く径方向の断面形状が円形（真円）に形成されている。レンズ１８ｄは、その断面形状がカバーガラス１６ｄの断面形状と同一である。レンズ１８ｄの径方向の最大径Ｌ３は、カバーガラス１６ｄの径方向の長さＬ１と同一である。レンズブロック１２ｄは、物体側の前端面（カバーガラス１６ｄの前端面１９）から後端面（レンズ１８ｄの後端面２５）に続く径方向の断面形状が円形（真円）に形成されている。
【０１２６】
ホルダー１３ｂは、胴部２８及び脚部２９と、ブロック収容スペース３０ｂ及びセンサモジュール収容ペース３１とを有し、胴部２８の直径Ｌ４（ホルダー１３ｂの外径）が１．４ｍｍである。ホルダー１３ｂの胴部２８の直径Ｌ４（ホルダー１３ｂの外径）は、０．５ｍｍ〜３ｍｍの範囲で調節される。
【０１２７】
ブロック収容スペース３０ｂは、ホルダー１３ｂの胴部２８の物体側の前端３２から後端３３に続く径方向の断面形状が正四角形（四角形）に形成され、ホルダー１３ｂの胴部２８の前端３２（前方）から後端３３（後方）に向かって凹む角筒状に形成されている。ブロック収容スペース３０ｂの最大内径は、０．４ｍｍ〜２ｍｍの範囲で調節される。ブロック収容スペース３０ｂには、レンズブロック１２ｄ（カバーガラス１６ｄ、絞りパターン１７ｄ（絞り手段）、レンズ１８ｄ）が収容されている（嵌め込まれている）。センサモジュール収容スペース３１には、センサモジュール１１が嵌め込まれる（図４参照）。
【０１２８】
小型レンズユニット１０Ｄでは、レンズブロック１２ｄの外周面３５が４点（カバーガラス１６ｄの外周面２１の４点、レンズ１８ｄの外周面２６の４点）でホルダー１３ｂの胴部２８の内周面３４に当接し、ブロック収容スペース３０ｂに収容されたレンズブロック１２ｄがホルダー１３ｂに支持され、レンズブロック１２ｄがホルダー１３ｂに固定されている。レンズブロック１２ｄは、ホルダー１３ｂの胴部２８の内接円となる。なお、レンズブロック１２ｂの外周面３５が少なくとも２点でホルダー１３ｂの胴部２８の内周面３４に当接し、その状態でレンズブロック１２ｄがホルダー１３ｂに支持（固定）されていればよい。
【０１２９】
小型レンズユニット１０Ｄには、レンズブロック１２ｄの外周面３５から径方向外方へ凸となって所定のデバイスを収容可能な第１〜第４デバイス収容スペース４１ａ〜４１ｄ（第１〜第ｎデバイス収容スペース）が形成されている。第１〜第４デバイス収容スペース４１ａ〜４１ｄは、レンズブロック１２ｄの外周面３５とホルダー１３ｂの内周面３４との間に形成され、レンズブロック１２ｄ（ホルダー１３ｂ）の周り方向へ並んでいる。第１〜第４デバイス収容スペース４１ａ〜４１ｄは、その平面形状や面積（大きさ）が略同一である。
【０１３０】
小型レンズユニット１０Ｄでは、ホルダー１３ｂの胴部２８の物体側の前端３２から後端３３に続くブロック収容スペース３０ｂの径方向の断面形状（四角形）がレンズブロック１２ｄの物体側の前端面（カバーガラス１６ｄの前端面１９）から後端（レンズ１８ｄの後端面２５）に続く径方向の断面形状（円形）と異なり、ブロック収容スペース３０ｂの断面形状（四角形）と異なる断面形状（円形）のレンズブロック１２ｄ（断面形状が円形に形成されたレンズブロック１２ｄ）をブロック収容スペース３０ｂに収容することで、レンズブロック１２ｄの外周面３５とホルダー１３ｂの内周面３４との間に第１〜第４デバイス収容スペース４１ａ〜４１ｄが形成される。
【０１３１】
照明用の複数の光ファイバ１４（デバイス）は、第１〜第４デバイス収容スペース４１ａ〜４１ｄに収容（設置）されている。第１デバイス収容スペース４１ａには、３本の光ファイバ１４が収容され、第２デバイス収容スペース４１ｂには、３本の光ファイバ１４が収容されている。第３デバイス収容スペース４１ｃには、３本の光ファイバ１４が収容され、第４デバイス収容スペース４１ｄには、３本の光ファイバ１４が収容されている。第１〜第４デバイス収容スペース４１ａ〜４１ｄに収容された照明用のそれら光ファイバ１４は、デバイス収容スペース４１ａ〜４１ｄからセンサモジュール収容スペース３１を通ってホルダー１３ｂの外側に延出し、各種光機器（図示せず）に接続されている。
【０１３２】
第１〜第４デバイス収容スペース４１ａ〜４１ｄには、接着剤（固定手段）又は合成樹脂（固定手段）が注入（充填）され、接着剤や合成樹脂が第１〜第４デバイス収容スペース４１ａ〜４１ｄにおいて硬化している。それら光ファイバ１４は、その先端が物体側に向かった状態で、硬化した接着剤や合成樹脂によって第１〜第４デバイス収容スペース４１ａ〜４１ｄに固定されている。なお、第１〜第４デバイス収容スペース４１ａ〜４１ｄに接着剤（固定手段）又は合成樹脂（固定手段）が注入（充填）されず、それら光ファイバ１４がそれらデバイス収容スペース４１ａ〜４１ｄにフリー（自由）状態で収容されていてもよい。
【０１３３】
第１〜第４デバイス収容スペース４１ａ〜４１ｄには、１つ又は４つ以上の照明用の光ファイバ１４が収容されていてもよい。第１〜第４デバイス収容スペース４１ａ〜４１ｄのうちの少なくとも１つのデバイス収容スペース４１ａ〜４１ｄには、照明用の光ファイバ１４の他に、又は、照明用の光ファイバとともに、光を受光する受光用の光ファイバ、温度センサー、湿度センサー、所定の気体を噴射するエアー噴射チューブ３８、所定の液体を注入する液体注入チューブ３９、フォトディテクター、線量計、ワイヤーカッターのうちの少なくとも１種類のデバイスを収容することができる。第１〜第４デバイス収容スペース４１ａ〜４１ｄのうちの少なくとも１つのデバイス収容スペース４１ａ〜４１ｄには、１つ又は２つ以上（複数）のそれらデバイスが収容される。
【０１３４】
小型レンズユニット１０Ｄは、断面形状が円形（真円）のレンズブロック１２ｄを断面形状が正四角形のブロック収容スペース３０ｂに収容（ブロック収容スペース３０ｂの断面形状と異なる断面形状のレンズブロック１２ｄをブロック収容スペース３０ｂに収容）することで、レンズブロック１２ｄの外周面３５とホルダー１３ｂの内周面３４との間に必然的に第１〜第４デバイス収容スペース４１ａ〜４１ｄ（第１〜第ｎデバイス収容スペース）が形成されるから、正四角形の断面形状のブロック収容スペース３０ｂを有するホルダー１３ｂと円形（真円）の断面形状のレンズブロック１２ｄとを製造すればよく、複雑な構造を採用する必要はなく加工難易度を低くすることができ、それらデバイス収容スペース４１ａ〜４１ｄが形成された小型レンズユニット１０Ｄを容易に作ることができる。
【０１３５】
小型レンズユニット１０Ｄは、正四角形の断面形状のブロック収容スペース３０ｂを有するホルダー１３ｂと円形（真円）の断面形状のレンズブロック１２ｄ（円形（真円）の断面形状のカバーガラス１６ｄ、円形（真円）の断面形状のレンズ１８ｄ）とを製造すればよいから、精度の狂いがない円形のカバーガラス１６ｄを備えたレンズユニット１０Ｄを廉価に作ることができ、小型レンズユニット１０Ｄを機械的に効率よく製造（量産）することができる。
【０１３６】
小型レンズユニット１０Ｄは、円形（真円）の断面形状を有するレンズブロック１２ｄの外周面３５と正四角形の断面形状のブロック収容スペース３０ｂを有するホルダー１３ｂの内周面３４との間に形成された第１〜第４デバイス収容スペース４１ａ〜４１ｄに照明用の複数の光ファイバ１４が収容され、小型レンズユニット１０Ｄが内視鏡に使用されたときにそれら光ファイバ１４を利用して所定の検査箇所の暗所や所定の検査部位の暗部を照らすことができる。小型レンズユニット１０Ｄは、第１〜第４デバイス収容スペース４１ａ〜４１ｄに各種のデバイスを収容することができるから、小型であるにもかかわらず、必要な用途にあわせた各種のデバイスを小型レンズユニット１０Ｄに設置することができ、各デバイスを利用することで撮像機能の他に各種の機能を実現することができる。
【０１３７】
小型レンズユニット１０Ｄは、カバーガラス１６ｄの外周面２１が４点（カバーガラス１６ｄの外周面２１が少なくとも２点）及びレンズ１８ｄの外周面２６が４点（レンズ１８ｄの外周面２６が少なくとも２点）でホルダー１３ｂのブロック収容スペース３０ｂの内周面３４に当接するから、ホルダー１３ｂのブロック収容スペース３０ｂにおいてレンズブロック１２ｄ（カバーガラス１６ｄ、絞りパターン１７ｄ、レンズ１８ｄ）がずれ動くことはなく、レンズブロック１２ｄをホルダー１３ｂのブロック収容スペース３０ｂに固定することができる。
【０１３８】
小型レンズユニット１０Ｄは、ホルダー１３ｂの外径Ｌ４が０．５ｍｍ〜３ｍｍの範囲（ブロック収容スペース３０ｂの最大内径が０．４ｍｍ〜２ｍｍの範囲）にあるから、レンズユニット１０Ｄを小型にすることができ、小型の撮像素子に好適に連結することが可能な小型のレンズユニット１０Ｄを作ることができる。
【０１３９】
ホルダーの胴部２８の物体側の前端３２から後端３３に続くブロック収容スペースの径方向の断面形状が正三角形（等角多角形）に形成され、断面形状が円形（真円）のレンズブロック１２ｄをそのブロック収容スペースに収容した場合、レンズブロック１２ｄの外周面３５とホルダーの内周面３４との間にはレンズブロック１２ｄの外周面３５から径方向外方へ凸となって所定のデバイスを収容可能な第１〜第３デバイス収容スペースが形成される。又、ホルダーの胴部２８の物体側の前端３２から後端３３に続くブロック収容スペースの径方向の断面形状が正五角形（等角多角形）に形成され、断面形状が円形（真円）のレンズブロック１２ｄをそのブロック収容スペースに収容した場合、レンズブロック１２ｄの外周面３５とホルダーの内周面３４との間にはレンズブロック１２ｄの外周面３５から径方向外方へ凸となって所定のデバイスを収容可能な第１〜第５デバイス収容スペースが形成される。
【０１４０】
ホルダーの胴部２８の物体側の前端３２から後端３３に続くブロック収容スペースの径方向の断面形状が正六角形（等角多角形）に形成され、断面形状が円形（真円）のレンズブロック１２ｄをそのブロック収容スペースに収容した場合、レンズブロック１２ｄの外周面３５とホルダーの内周面３４との間にはレンズブロック１２ｄの外周面３５から径方向外方へ凸となって所定のデバイスを収容可能な第１〜第６デバイス収容スペースが形成される。又、ホルダーの胴部２８の物体側の前端３２から後端３３に続くブロック収容スペースの径方向の断面形状が正八角形（等角多角形）に形成され、断面形状が円形（真円）のレンズブロック１２ｄをそのブロック収容スペースに収容した場合、レンズブロック１２ｄの外周面３５とホルダーの内周面３４との間にはレンズブロック１２ｄの外周面３５から径方向外方へ凸となって所定のデバイスを収容可能な第１〜第８デバイス収容スペースが形成される。
【０１４１】
このように、径方向の断面形状が円形（真円）のレンズブロック１２ｄを断面形状が等角多角形のブロック収容スペースに収容すると、レンズブロック１２ｄの外周面３５とホルダーの内周面３４との間にブロック収容スペースの角数と同数のデバイス収容スペースが形成される。従って、ブロック収容スペースの角数を多くすればそれに比例した多くのデバイス収容スペースを形成することができる。なお、ブロック収容スペースの角数が３の場合に形成されるデバイス収容スペース（第１〜第３デバイス収容スペース）の面積（大きさ）が一番大きく、ブロック収容スペースの角数が増えるにしたがってデバイス収容スペース（第１〜第ｎデバイス収容スペース）の面積（大きさ）が次第に小さくなる。
【０１４２】
図１４は、他の一例として示す小型レンズユニット１０Ｅの斜視図であり、図１５は、図１４の小型レンズユニット１０Ｅの上面図である。図１６は、図１４のＥ−Ｅ線断面図である。図１４では、前後方向を矢印Ｘで示し、径方向を矢印Ｙで示す。
【０１４３】
図１４のレンズユニット１０Ｅが図１のそれと異なるところは、ホルダー１３ｃの胴部２８の物体側の前端３２から後端３３に続くブロック収容スペース３０ｃの径方向の断面形状が正六角形に形成されている点、第１及び第３デバイス収容スペース４２ａ，４２ｃに照明用の光ファイバ１４が収容（設置）され、第２デバイス収容スペース４２ｂに温度センサー４３が収容（設置）されているとともに、第４デバイス収容スペース４２ｄに湿度センサー４４が収容（設置）されている点にあり、その他の構成は図１のレンズユニット１０Ａのそれらと同一であるから、図１と同一の符号を付すとともに、図１の説明を援用することで、このレンズユニット１０Ｅのその他の構成の詳細な説明は省略する。
【０１４４】
小型レンズユニット１０Ｅは、レンズブロック１２ａと、ホルダー１３ｃと、光を照射する照明用の光ファイバ１４（デバイス）と、温度センサー４３及び湿度センサー４４とから形成されている。レンズブロック１２ａは、前後方向（一方向）へ並んだ状態で一体になったカバーガラス１６ａと絞りパターン１７ａ（絞り手段）とレンズ１８ａとから形成されている。カバーガラス１６ａや絞りパターン１７ａ、レンズ１８ａは、図１のレンズユニット１０Ａのそれらと同一である。
【０１４５】
ホルダー１３ｃは、胴部２８及び脚部２９と、ブロック収容スペース３０ｃ及びセンサモジュール収容ペース３１とを有し、胴部２８の直径Ｌ４（ホルダー１３ｃの外径）が１．４ｍｍである。ホルダー１３ｃの胴部２８の直径Ｌ４（ホルダー１３ｃの外径）は、０．５ｍｍ〜３ｍｍの範囲で調節される。
【０１４６】
ブロック収容スペース３０ｃは、ホルダー１３ｃの胴部２８の物体側の前端３２から後端３３に続く径方向の断面形状が正六角形（六角形）に形成され、ホルダー１３ｃの胴部２８の前端３２（前方）から後端３３（後方）に向かって凹む六角筒状に形成されている。ブロック収容スペース３０ｃの最大内径は、０．４ｍｍ〜２ｍｍの範囲で調節される。ブロック収容スペース３０ｃには、レンズブロック１２ａ（カバーガラス１６ａ、絞りパターン１７ａ（絞り手段）、レンズ１８ａ）が収容されている（嵌め込まれている）。センサモジュール収容スペース３１には、センサモジュール１１が嵌め込まれる（図４参照）。
【０１４７】
小型レンズユニット１０Ｅでは、レンズブロック１２ａの正四角柱の４つの角（カバーガラス１６ａの４つの角２２、レンズ１８ａの４つの角２７）がホルダー１３ｃの胴部２８の内周面３４に当接し、ブロック収容スペース３０ｃに収容されたレンズブロック１２ａがホルダー１３ｃに支持され、レンズブロック１２ａがホルダー１３ｃに固定されている。なお、レンズブロック１２ａの４つの角のうちの少なくとも２つの角（カバーガラス１６ａの少なくとも２つの角２２、レンズ１８ａの少なくとも２つの角２７）がホルダー１３ｃの胴部２８の内周面３４に当接し、その状態でレンズブロック１２ａがホルダー１３ｃに支持（固定）されていればよい。
【０１４８】
小型レンズユニット１０Ｅには、レンズブロック１２ａの外周面３５から径方向外方へ凸となって所定のデバイスを収容可能な第１〜第４デバイス収容スペース４２ａ〜４２ｄ（第１〜第ｎデバイス収容スペース）が形成されている。第１〜第４デバイス収容スペース４２ａ〜４２ｄは、レンズブロック１２ａの外周面３５とホルダー１３ｃの内周面３４との間に形成され、レンズブロック１２ａ（ホルダー１３ｃ）の周り方向へ並んでいる。第１及び第３デバイス収容スペース４２ａ，４２ｃは、その平面形状や面積（大きさ）が略同一であるとともに、その平面形状や面積（大きさ）が第２及び第４デバイス収容スペース４２ｂ，４２ｄのそれらと異なっている。第２及び第４デバイス収容スペース４２ｂ，４２ｄは、その平面形状や面積（大きさ）が略同一であるとともに、その平面形状や面積（大きさ）が第１及び第３デバイス収容スペース４２ａ，４２ｃのそれらと異なっている。
【０１４９】
小型レンズユニット１０Ｅでは、ホルダー１３ｃの胴部２８の物体側の前端３２から後端３３に続くブロック収容スペース３０ｃの径方向の断面形状（六角形）がレンズブロック１２ａの物体側の前端面（カバーガラス１６ａの前端面１９）から後端面（レンズ１８ａの後端面２５）に続く径方向の断面形状（四角形）と異なり、ブロック収容スペース３０ｃの断面形状（六角形）と異なる断面形状（四角形）のレンズブロック１２ａ（断面形状が四角形に形成されたレンズブロック１２ａ）をブロック収容スペース３０ｃに収容することで、レンズブロック１２ａの外周面３５とホルダー１３ｃの内周面３４との間に第１〜第４デバイス収容スペース４２ａ〜４２ｄが形成される。
【０１５０】
照明用の光ファイバ１４（デバイス）は、第１及び第３デバイス収容スペース４２ａ，４２ｃに収容（設置）されている。第１及び第３デバイス収容スペース４２ａ，４２ｃには、１本の光ファイバ１４が収容されている。第１及び第３デバイス収容スペース４２ａ，４２ｃに収容された照明用の光ファイバ１４は、デバイス収容スペース４２ａ，４２ｃからセンサモジュール収容スペース３１を通ってホルダー１３ｃの外側に延出し、各種光機器（図示せず）に接続されている。
【０１５１】
温度センサー４３（センサー部）（デバイス）は、第２デバイス収容スペース４２ｂに収容（設置）されている。第２デバイス収容スペース４２ｂには、１つの温度センサー４３が収容されている。湿度センサー４４（センサー部）（デバイス）は、第４デバイス収容スペース４２ｄに収容（設置）されている。第４デバイス収容スペース４２ｄには、１つの湿度センサー４４が収容されている。温度センサー４３や湿度センサー４４は、その信号伝達部がデバイス収容スペース４２ｂ，４２ｄからセンサモジュール収容スペース３１を通ってホルダー１３ｃの外側に延出し、各種外部機器（図示せず）に接続されている。
【０１５２】
第１〜第４デバイス収容スペース４２ａ〜４２ｄには、接着剤（固定手段）又は合成樹脂（固定手段）が注入（充填）され、接着剤や合成樹脂が第１〜第４デバイス収容スペース４２ａ〜４２ｄにおいて硬化している。光ファイバ１４は、その先端が物体側に向かった状態で、硬化した接着剤や合成樹脂によって第１及び第３デバイス収容スペース４２ａ，４２ｃに固定されている。温度センサー４３や湿度センサー４４は、そのセンサー部が物体側に向かった状態で、硬化した接着剤や合成樹脂によって第２及び第４デバイス収容スペース４２ｂ，４２ｄに固定されている。なお、第１〜第４デバイス収容スペース４２ａ〜４２ｄに接着剤（固定手段）又は合成樹脂（固定手段）が注入（充填）されず、光ファイバ１４や温度センサー４３、湿度センサー４４がそれらデバイス収容スペース４２ａ〜４２ｄにフリー（自由）状態で収容されていてもよい。
【０１５３】
第１及び第３デバイス収容スペース４２ａ，４２ｃには、照明用の複数の光ファイバ１４が収容されていてもよい。第１〜第４デバイス収容スペース４２ａ〜４２ｄのうちの少なくとも１つのデバイス収容スペース４２ａ〜４２ｄには、照明用の光ファイバ１４や温度センサー４３、湿度センサー４４の他に、又は、照明用の光ファイバ１４や温度センサー４３、湿度センサー４４とともに、光を受光する受光用の光ファイバ１５、所定の気体を噴射するエアー噴射チューブ３８、所定の液体を注入する液体注入チューブ３９、フォトディテクター、線量計、ワイヤーカッターのうちの少なくとも１種類のデバイスを収容することができる。第１〜第４デバイス収容スペース４２ａ〜４２ｄのうちの少なくとも１つのデバイス収容スペース４２ａ〜４２ｄには、１つ又は２つ以上（複数）のそれらデバイスが収容される。
【０１５４】
小型レンズユニット１０Ｅは、断面形状が正四角形のレンズブロック１２ａを断面形状が正六角形のブロック収容スペース３０ｃに収容（ブロック収容スペース３０ｃの断面形状と異なる断面形状のレンズブロック１２ａをブロック収容スペース３０ｃに収容）することで、レンズブロック１２ａの外周面３５とホルダー１３ｃの内周面３４との間に必然的に第１〜第４デバイス収容スペース４２ａ〜４２ｄ（第１〜第ｎデバイス収容スペース）が形成されるから、正六角形の断面形状のブロック収容スペース３０ｃを有するホルダー１３ｃと正四角形の断面形状のレンズブロック１２ａとを製造すればよく、複雑な構造を採用する必要はなく加工難易度を低くすることができ、それらデバイス収容スペース４２ａ〜４２ｄが形成された小型レンズユニット１０Ｅを容易に作ることができる。
【０１５５】
小型レンズユニット１０Ｅは、正六角形の断面形状のブロック収容スペース４２ａ〜４２ｄを有するホルダー１３ｃと正四角形の断面形状のレンズブロック１２ａ（正四角形の断面形状のカバーガラス１６ａ、絞りパターン１７ａ（絞り手段）、正四角形の断面形状のレンズ１８ａ）とを製造すればよいから、精度の狂いがない正四角形のカバーガラス１６ａを備えたレンズユニット１０Ｅを廉価に作ることができ、小型レンズユニット１０Ｅを機械的に効率よく製造（量産）することができる。
【０１５６】
小型レンズユニット１０Ｅは、正四角形の断面形状を有するレンズブロック１２ａの外周面３５と正六角形の断面形状のブロック収容スペース３０ｃを有するホルダー１３ｃの内周面３４との間に形成された第１及び第３デバイス収容スペース４２ａ，４２ｃに照明用の光ファイバ１４が収容され、第２及び第４デバイス収容スペース４２ｂ，４２ｄに温度センサー４３と湿度センサー４４とが収容され、小型レンズユニット１０Ｅが内視鏡に使用されたときにそれら光ファイバ１４を利用して所定の検査箇所の暗所や所定の検査部位の暗部を照らすことができ、温度センサー４３を利用して所定の検査箇所や所定の検査部位の温度を測定することができるとともに、湿度センサー４４を利用して所定の検査箇所や所定の検査部位の湿度を測定することができる。小型レンズユニット１０Ｅは、第１〜第４デバイス収容スペース４２ａ〜４２ｄに各種のデバイスを収容することができるから、小型であるにもかかわらず、必要な用途にあわせた各種のデバイスを小型レンズユニット１０Ｅに設置することができ、各デバイスを利用することで撮像機能の他に各種の機能を実現することができる。
【０１５７】
小型レンズユニット１０Ｅは、ガラス材やレンズ材をカットすることで、前端面１９，２４から後端面２０，２５に続く側面２１，２６の形状が正四角柱（四角柱）のカバーガラス１６ａやレンズ１８ａを容易に作ることができるとともに、正四角柱の前端面１９と各側面２１とが交差する角をカットすることでカバーガラス１６ａの角を容易に面取りすることができ、カバーガラス１６ａやレンズ１８ａを含むレンズブロック１２ａを機械的に効率よく量産することができる。小型レンズユニット１０Ｅは、カバーガラス１６ａの前端面１９と各側面２１とが交差する角が面取りされることで、カバーガラス１６ａの角の不用意な破損や損壊を防ぐことができる。
【０１５８】
小型レンズユニット１０Ｅは、カバーガラス１６ａの４つの各角２２（カバーガラス１６ａの４つの各角２２の少なくとも２つの各角２２）及びレンズ１８ａの４つの各角２７（レンズ１８ａの４つの各角２７の少なくとも２つの各角２７）がホルダー１３ｃのブロック収容スペース３０ｃの内周面３４に当接するから、ホルダー１３ｃのブロック収容スペース３０ｃにおいてレンズブロック１２ａ（カバーガラス１６ａ、絞りパターン１７ａ（絞り手段）、レンズ１８ａ）がずれ動くことはなく、レンズブロック１２ａをホルダー１３ｃのブロック収容スペース３０ｃに固定することができる。
【０１５９】
小型レンズユニット１０Ｅは、ホルダー１３ｃの外径Ｌ４が０．５ｍｍ〜３ｍｍの範囲（ブロック収容スペース３０ｃの最大内径が０．４ｍｍ〜２ｍｍの範囲）にあるから、レンズユニット１０Ｅを小型にすることができ、小型の撮像素子に好適に連結することが可能な小型のレンズユニット１０Ｅを作ることができる。
【０１６０】
ホルダーの胴部２９の物体側の前端３２から後端３３に続くブロック収容スペースの径方向の断面形状が正六角形以外の等角多角形（例えば、正三角形や正四角形、正五角形、正八角形等）に形成され、物体側の前端面（カバーガラスの前端面１９）から後端面（レンズの後端面２５）に続くレンズブロックの径方向の断面形状が正四角形以外の等角多角形（例えば、正三角形や正五角形、正六角形、正八角形等）に形成されていてもよい。断面形状が等角多角形に形成されたレンズブロックをレンズブロックの断面形状と異なる等角多角形の断面形状に形成されたブロック収容スペースに収容することで、レンズブロックの外周面３５とホルダーの内周面３４との間に第１〜第ｎデバイス収容スペースが形成される。
【０１６１】
図１７は、他の一例として示す小型レンズユニット１０Ｆの斜視図であり、図１８は、図１７の小型レンズユニット１０Ｆの上面図である。図１９は、図１８のＦ−Ｆ線断面図である。図１７では、前後方向を矢印Ｘで示し、径方向を矢印Ｙで示す。
【０１６２】
図１７のレンズユニット１０Ｆが図１のそれと異なるところは、ホルダー１３ｂの胴部２８の物体側の前端３２から後端３３に続くブロック収容スペース３０ｂの径方向の断面形状が正四角形に形成されている点にあり、その他の構成は図１のレンズユニット１０Ａのそれらと同一であるから、図１と同一の符号を付すとともに、図１の説明を援用することで、このレンズユニット１０Ｆのその他の構成の詳細な説明は省略する。
【０１６３】
小型レンズユニット１０Ｆは、レンズブロック１２ａと、ホルダー１３ｂと、光を照射する照明用の光ファイバ１４（デバイス）及び光を受光する受光用の光ファイバ１５（デバイス）とから形成されている。レンズブロック１２ａは、前後方向（一方向）へ並んだ状態で一体になったカバーガラス１６ａと絞りパターン１７ａ（絞り手段）とレンズ１８ａとから形成されている。カバーガラス１６ａや絞りパターン１７ａ、レンズ１８ａは、図１のレンズユニット１０Ａのそれらと同一である。
【０１６４】
ホルダー１３ｂは、胴部２８及び脚部２９と、ブロック収容スペース３０ｂ及びセンサモジュール収容ペース３１とを有し、胴部２８の直径Ｌ４（ホルダー１３ｂの外径）が１．４ｍｍである。ホルダー１３ｂの胴部２８の直径Ｌ４（ホルダー１３ｂの外径）は、０．５ｍｍ〜３ｍｍの範囲で調節される。
【０１６５】
ブロック収容スペース３０ｂは、ホルダー１３ｂの胴部２８の物体側の前端３２から後端３３に続く径方向の断面形状が正四角形（四角形）に形成され、ホルダー１３ｂの胴部２８の前端３２（前方）から後端３３（後方）に向かって凹む角筒状に形成されている。ブロック収容スペース３０ｂの最大内径は、０．４ｍｍ〜２ｍｍの範囲で調節される。ブロック収容スペース３０ｂには、レンズブロック１２ａ（カバーガラス１６ａ、絞りパターン１７ａ（絞り手段）、レンズ１８ａ）が収容されている（嵌め込まれている）。センサモジュール収容スペース３１には、センサモジュール１１が嵌め込まれる（図４参照）。
【０１６６】
小型レンズユニット１０Ｆでは、レンズブロック１２ａの正四角柱の４つの角（カバーガラス１６ａの正四角柱の４つの角２２、レンズ１８ａの４つの角２７）が断面四角形のホルダー１３ｂの胴部２８の各辺に対向し、レンズブロック１２ａの４つの角がホルダー１３ｂの胴部２８の内周面３４に当接し、ブロック収容スペース３０ｂに収容されたレンズブロック１２ａがホルダー１３ｂに支持され、レンズブロック１２ａがホルダー１３ｂに固定されている。なお、レンズブロック１２ａの４つの角のうちの少なくとも２つの角がホルダー１３ｂの胴部２８の内周面３４に当接し、その状態でレンズブロック１２ａがホルダー１３ｂに支持（固定）されていればよい。
【０１６７】
小型レンズユニット１０Ｆには、レンズブロック１２ａの外周面３５から径方向外方へ凸となって所定のデバイスを収容可能な第１〜第４デバイス収容スペース４５ａ〜４５ｄ（第１〜第ｎデバイス収容スペース）が形成されている。第１〜第４デバイス収容スペース４５ａ〜４５ｄは、レンズブロック１２ａの外周面３５とホルダー１３ｂの内周面３４との間に形成され、レンズブロック１２ａ（ホルダー１３ｂ）の周り方向へ並んでいる。第１〜第４デバイス収容スペース４５ａ〜４５ｄは、その平面形状や面積（大きさ）が略同一である。
【０１６８】
小型レンズユニット１０Ｆでは、ホルダー１３ｂの胴部２８の物体側の前端３２から後端３３に続くブロック収容スペース３０ｂの径方向の断面形状（四角形）がレンズブロック１２ａの物体側の前端面（カバーガラス１６ａの前端面１９）から後端（レンズ１８ａの後端面２５）に続く径方向の断面形状（四角形）と同一であり、ブロック収容スペース３０ｂの断面形状（四角形）と同一であってブロック収容スペース３０ｂの四角形の内側に納まる四角形に形成されたレンズブロック１２ａをブロック収容スペース３０ｂに収容することで、レンズブロック１２ａの外周面３５とホルダー３０ｂの内周面３４との間に第１〜第４デバイス収容スペース４５ａ〜４５ｄが形成される。
【０１６９】
照明用の光ファイバ１４（デバイス）は、第１デバイス収容スペース４５ａ及び第３デバイス収容スペース４５ｃに収容（設置）されている。受光用の光ファイバ１５は、第２デバイス収容スペース４５ｂ及び第４デバイス収容スペース４５ｄに収容（設置）されている。第１及び第３デバイス収容スペース４５ａ，４５ｃに収容された照明用の光ファイバ１４や第２及び第４デバイス収容スペース４５ｂ，４５ｄに収容された受光用の光ファイバ１５は、デバイス収容スペース４５ａ〜４５ｄからセンサモジュール収容スペース３１を通ってホルダー１３ｂの外側に延出し、各種光機器（図示せず）に接続されている。
【０１７０】
第１〜第４デバイス収容スペース４５ａ〜４５ｄには、接着剤（固定手段）又は合成樹脂（固定手段）が注入（充填）され、接着剤や合成樹脂が第１〜第４デバイス収容スペース４５ａ〜４５ｄにおいて硬化している。それら光ファイバ１４，１５は、その先端が物体側に向かった状態で、硬化した接着剤や合成樹脂によって第１〜第４デバイス収容スペース４５ａ〜４５ｄに固定されている。なお、第１〜第４デバイス収容スペース４５ａ〜４５ｄに接着剤（固定手段）又は合成樹脂（固定手段）が注入（充填）されず、それら光ファイバ１４，１５（デバイス）がそれらデバイス収容スペース４５ａ〜４５ｄにフリー（自由）状態で収容されていてもよい。
【０１７１】
小型レンズユニット１０Ｆは、ブロック収容スペース３０ｂの断面形状と同一であってブロック収容スペース３０ｂの内側に納まる正四角形の断面形状のレンズブロック１２ａを正四角形の断面形状のブロック収容スペース３０ｂに収容することで、レンズブロック１２ａの外周面３５とホルダー１３ｂの内周面３４との間に必然的に第１〜第４デバイス収容スペース４５ａ〜４５ｄ（第１〜第ｎデバイス収容スペース）が形成されるから、正四角形の断面形状のブロック収容スペース３０ｂを有するホルダー１３ｂと正四角形の断面形状のレンズブロック１２ａとを製造すればよく、複雑な構造を採用することはなく加工難易度を低くすることができ、それらデバイス収容スペース４５ａ〜４５ｄが形成された小型レンズユニット１０Ｆを容易に作ることができる。
【０１７２】
小型レンズユニット１０Ｆは、正四角形の断面形状のブロック収容スペース３０ｂを有するホルダー１３ｂと正四角形の断面形状のレンズブロック１２ａ（正四角形の断面形状のカバーガラス１６ａ、絞りパターン１７ａ（絞り手段）、正四角形の断面形状のレンズ１８ａ）とを製造すればよいから、精度の狂いがない正四角形のカバーガラス１６ａを備えたレンズユニット１０Ｆを廉価に作ることができ、小型レンズユニット１０Ｆを機械的に効率よく製造（量産）することができる。
【０１７３】
小型レンズユニット１０Ｆは、正四角形の断面形状を有するレンズブロック１２ａの外周面３５と正四角形の断面形状のブロック収容スペース３０ｂを有するホルダー１３ｂの内周面３４との間に形成された第１及び第３デバイス収容スペース４５ａ，４５ｃに照明用の光ファイバ１４が収容され、第２及び第４デバイス収容スペース４５ｂ，４５ｄに受光用の光ファイバ１５が収容され、小型レンズユニット１０Ｆが内視鏡に使用されたときに照明用の光ファイバ１４を利用して所定の検査箇所の暗所や所定の検査部位の暗部を照らすことができ、受光用の光ファイバ１５を利用して所定の検査箇所の光や所定の検査部位の光を電気信号に変換することができる。小型レンズユニット１０Ｆは、第１〜第４デバイス収容スペース４５ａ〜４５ｄに各種のデバイスを収容することができるから、小型であるにもかかわらず、必要な用途にあわせた各種のデバイスを小型レンズユニット１０Ｆに設置することができ、各デバイスを利用することで撮像機能の他に各種の機能を実現することができる。
【０１７４】
小型レンズユニット１０Ｆは、ガラス材やレンズ材をカットすることで、前端面１９，２４から後端面２０，２５に続く側面の形状が正四角柱（四角柱）のカバーガラス１６ａやレンズ１８ａを容易に作ることができるとともに、正四角柱の前端面１９と各側面２１とが交差する角をカットすることでカバーガラス１６ａの角を容易に面取りすることができ、カバーガラス１６ａやレンズ１８ａを含むレンズブロック１２ａを機械的に効率よく量産することができる。小型レンズユニット１０Ｆは、カバーガラス１６ａの前端面１９と各側面２１とが交差する角が面取りされることで、カバーガラス１６ａの角の不用意な破損や損壊を防ぐことができる。
【０１７５】
小型レンズユニット１０Ｆは、レンズブロック１２ａの正四角柱の４つの角（カバーガラス１６ａの正四角柱の４つの角２２、レンズ１８ａの４つの角２７）が断面四角形のホルダー１３ｂの胴部２８の各辺に対向し、レンズブロック１２ａの４つの各角（レンズブロック１２ａの４つの各角の少なくとも２つの各角）がホルダー１３ｂの胴部２８の内周面３４に当接するから、ホルダー１３ｂのブロック収容スペース３０ｂにおいてレンズブロック１２ａ（カバーガラス１６ａ、絞りパターン１７ａ、レンズ１８ａ）がずれ動くことはなく、レンズブロック１２ａをホルダー１３ｂのブロック収容スペース３０ｂに固定することができる。
【０１７６】
小型レンズユニット１０Ｆは、ホルダー１３ｂの外径Ｌ４が０．５ｍｍ〜３ｍｍの範囲（ブロック収容スペース３０ｂの最大内径が０．４ｍｍ〜２ｍｍの範囲）にあるから、レンズユニット１０Ｆを小型にすることができ、小型の撮像素子に好適に連結することが可能な小型のレンズユニット１０Ｆを作ることができる。
【０１７７】
ホルダー１３ｂの胴部２８の物体側の前端３２から後端３３に続くブロック収容スペースの径方向の断面形状が正四角形以外の等角多角形（例えば、正三角形や正五角形、正六角形、正八角形等）に形成され、物体側の前端面（カバーガラスの前端面１９）から後端面（レンズの後端面２７）に続くレンズブロックの径方向の断面形状が正四角形以外の等角多角形（例えば、正三角形や正五角形、正六角形、正八角形等）に形成されていてもよい。ブロック収容スペースの断面形状と同一であってブロック収容スペースの内側に納まる等角多角形の断面形状のレンズブロックを等角多角形の断面形状のブロック収容スペースに収容することで、レンズブロックの外周面３５とホルダーの内周面３４との間に第１〜第ｎデバイス収容スペースが形成される。
【０１７８】
図２０は、他の一例として示すレンズユニット１０Ｇの斜視図であり、図２１は、図２０のレンズユニット１０Ｇの上面図である。図２２は、図２１のＧ−Ｇ線断面図である。図２０では、前後方向を矢印Ｘで示し、径方向を矢印Ｙで示す。
【０１７９】
図２０のレンズユニット１０Ｇが図１のそれと異なるところは、カバーガラス１６ｂの前端面１９から後端面２０にかけての径方向の断面形状が正三角形に形成され、絞りパターン１７ｂの径方向の断面形状が正三角形に形成されているとともに、レンズ１８ｂの前端面２４から後端面２５にかけての径方向の断面形状が正三角形に形成されている点、ブロック収容スペース３０ｄに角収容スペース４６が形成されている点、レンズブロック１２ｂの外周面３５とホルダー１３ｄの内周面３４との間に第１〜第３デバイス収容スペース４７ａ〜４７ｃが形成されている点、第１〜第３デバイス収容スペース４７ａ〜４７ｃに照明用の光ファイバ１４が収容（設置）されている点にあり、その他の構成は図１のレンズユニット１０Ａのそれらと同一であるから、図１と同一の符号を付すとともに、図１の説明を援用することで、このレンズユニット１０Ｇのその他の構成の詳細な説明は省略する。
【０１８０】
小型レンズユニット１０Ｇは、レンズブロック１２ｂと、ホルダー１３ｄと、光を照射する照明用の光ファイバ１４（デバイス）とから形成されている。レンズブロック１２ｂは、前後方向（一方向）へ並んだ状態で一体になったカバーガラス１６ｂと絞りパターン１７ｂ（絞り手段）とレンズ１８ｂとから形成されている。カバーガラス１６ｂや絞りパターン１７ｂ、レンズ１８ｂは、図５の小型レンズユニット１０Ｂのそれらと同一である。
【０１８１】
ホルダー１３ｄは、胴部２８及び脚部２９と、ブロック収容スペース３０ｄ及びセンサモジュール収容ペース３１と、角収容スペース４６とを有し、胴部２８の直径Ｌ４（ホルダー１３ｄの外径）が１．４ｍｍである。ホルダー１３ｄの胴部２８の直径Ｌ４（ホルダー１３ｄの外径）は、０．５ｍｍ〜３ｍｍの範囲で調節される。
【０１８２】
ブロック収容スペース３０ｄは、ホルダー１３ｄの胴部２８の物体側の前端３２から後端３３に続く径方向の断面形状が略円形に形成され、ホルダー１３ｄの胴部２８の前端３２（前方）から後端３３（後方）に向かって凹む略円筒状に形成されている。ブロック収容スペース３０ｄの最大内径は、０．４ｍｍ〜２ｍｍの範囲で調節される。ブロック収容スペース３０ｄには、レンズブロック１２ｂ（カバーガラス１６ｂ、絞りパターン１７ｂ（絞り手段）、レンズ１８ｂ）が収容されている（嵌め込まれている）。レンズブロック１２ｂ（カバーガラス１６ｂ、レンズ１８ｂ）の正三角柱の各角は、ホルダー１３ｄの胴部２８に形成された各角収容スペース４６に収容されている（嵌め込まれている）。センサモジュール収容スペース３１には、センサモジュール１１が嵌め込まれる（図４参照）。
【０１８３】
ブロック収容スペース３０ｄの等間隔離間（ブロック収容スペース３０ｄの周り方向へ１２０度離間）した３箇所には、ブロック収容スペース３０ｄから径方向外方へ延出する３つの角収容スペース４６（角収容部分）が形成されている。それら角収容スペース４６は、ブロック収容スペース３０ｄの等間隔離間した３箇所から径方向外方へ向かって四角形を画いている。
【０１８４】
レンズブロック１２ｂの各角（カバーガラス１６ｂの各角２２、レンズ１８ｂの各角２７）は、その先端が角収容スペース４６の先端面に当接しているとともに、その両側面が角収容スペース４６の内周面に当接している。レンズブロック１２ｂは、各角の先端及び両側面が角収容スペース４６の先端面及び内周面に当接することで、ブロック収容スペース３０ｄ及び角収容スペース４６に固定されている。
【０１８５】
小型レンズユニット１０Ｇには、レンズブロック１２ｂの外周面３５から径方向外方へ凸となって所定のデバイスを収容可能な第１〜第３デバイス収容スペース４７ａ〜４７ｃ（第１〜第ｎデバイス収容スペース）が形成されている。第１〜第３デバイス収容スペース４７ａ〜４７ｃは、レンズブロック１２ｂの外周面３５とホルダー１３ｄの内周面３４との間に形成され、レンズブロック１２ｂ（ホルダー１３ｄ）の周り方向へ並んでいる。第１〜第３デバイス収容スペース４７ａ〜４７ｃは、その平面形状や面積（大きさ）が略同一である。
【０１８６】
小型レンズユニット１０Ｇでは、ホルダー１３ｄの胴部２８の物体側の前端３２から後端３３に続くブロック収容スペース３０ｄの径方向の断面形状（略円形）がレンズブロック１２ｂの物体側の前端面（カバーガラス１６ｂの前端面１９）から後端面（レンズ１８ｂの後端面２５）に続く径方向の断面形状（三角形）と異なり、ブロック収容スペース３０ｄの断面形状（円形）と異なる断面形状（三角形）のレンズブロック１２ｂ（断面形状が三角形に形成されたレンズブロック１２ｂ）をブロック収容スペース３０ｄに収容することで、レンズブロック１２ｂの外周面３５とホルダー１３ｄの内周面３４との間に第１〜第３デバイス収容スペース４７ａ〜４７ｃが形成される。
【０１８７】
照明用の光ファイバ１４（デバイス）は、第１〜第３デバイス収容スペース４７ａ〜４７ｃに収容（設置）されている。第１〜第３デバイス収容スペース４７ａ〜４７ｃに収容された照明用の光ファイバ１４は、デバイス収容スペース４７ａ〜４７ｃからセンサモジュール収容スペース３１を通ってホルダー１３ｄの外側に延出し、各種光機器（図示せず）に接続されている。第１〜第３デバイス収容スペース４７ａ〜４７ｃには、接着剤（固定手段）又は合成樹脂（固定手段）が注入（充填）され、接着剤や合成樹脂が第１〜第３デバイス収容スペース４７ａ〜４７ｃにおいて硬化している。それら光ファイバ１４は、その先端が物体側に向かった状態で、硬化した接着剤や合成樹脂によって第１〜第３デバイス収容スペース４７ａ〜４７ｃに固定されている。なお、第１〜第３デバイス収容スペース４７ａ〜４７ｃに接着剤（固定手段）又は合成樹脂（固定手段）が注入（充填）されず、それら光ファイバ１４（デバイス）がそれらデバイス収容スペース４７ａ〜４７ｃにフリー（自由）状態で収容されていてもよい。
【０１８８】
小型レンズユニット１０Ｇは、断面形状が正三角形のレンズブロック１２ｂを断面形状が略円形のブロック収容スペース３０ｄに収容することで、レンズブロック１２ｂの外周面３５とホルダー１３ｄの内周面３４との間に必然的に第１〜第３デバイス収容スペース４７ａ〜４７ｃ（第１〜第ｎデバイス収容スペース）が形成されるから、略円形の断面形状のブロック収容スペース３０ｄを有するホルダー１３ｄと正三角形の断面形状のレンズブロック１２ｂとを製造すればよく、複雑な構造を採用する必要はなく加工難易度を低くすることができ、それらデバイス収容スペース４７ａ〜４７ｃが形成された小型レンズユニット１０Ｇを容易に作ることができる。
【０１８９】
小型レンズユニット１０Ｇは、略円形の断面形状のブロック収容スペース３０ｄを有するホルダー１３ｄと正三角形の断面形状のレンズブロック１２ｂ（正三角形の断面形状のカバーガラス１６ｂ、絞りパターン１７ｂ（絞り手段）、正三角形の断面形状のレンズ１８ｂ）とを製造すればよいから、精度の狂いがない正三角柱のカバーガラス１６ｂを備えたレンズユニット１０Ｇを廉価に作ることができ、小型レンズユニット１０Ｇを機械的に効率よく製造（量産）することができる。
【０１９０】
小型レンズユニット１０Ｇは、正三角形の断面形状を有するレンズブロック１２ｂの外周面３５と略円形の断面形状のブロック収容スペース３０ｄを有するホルダー１３ｄの内周面３４との間に形成された第１〜第３デバイス収容スペース４７ａ〜４７ｃに照明用の光ファイバ１４が収容され、小型レンズユニット１０Ｇが内視鏡に使用されたときに照明用の光ファイバ１４を利用して所定の検査箇所の暗所や所定の検査部位の暗部を照らすことができる。小型レンズユニット１０Ｇは、第１〜第３デバイス収容スペース４７ａ〜４７ｃに各種のデバイスを収容することができるから、小型であるにもかかわらず、必要な用途にあわせた各種のデバイスを小型レンズユニット１０Ｇに設置することができ、各デバイスを利用することで撮像機能の他に各種の機能を実現することができる。
【０１９１】
小型レンズユニット１０Ｇは、ガラス材やレンズ材をカットすることで、前端面１９，２４から後端面２０，２５に続く側面２１，２６の形状が正三角柱（三角柱）のカバーガラス１６ｂやレンズ１８ｂを容易に作ることができるとともに、正三角柱の前端面１９と各側面２１とが交差する角をカットすることでカバーガラス１６ｂの角を容易に面取りすることができ、カバーガラス１６ｂやレンズ１８ｂを含むレンズブロック１２ｂを機械的に効率よく量産することができる。小型レンズユニット１０Ｇは、カバーガラス１６ｂの前端面１９と各側面２２とが交差する角が面取りされることで、カバーガラス１６ｂの角の不用意な破損や損壊を防ぐことができる。
【０１９２】
小型レンズユニット１０Ｇは、レンズブロック１２ｂの３つの各角（カバーガラス１６ｂの３つの各角２２及びレンズ１８ｂの３つの各角２７）がホルダー１３ｄの胴部２８に形成された角収容スペース４６の内周面（角収容スペース４６の前端面や両側面）に当接し、レンズブロック１２ｂの各角が角収容スペース４６に嵌め込まれているから、ホルダー１３ｄのブロック収容スペース３０ｄにおいてレンズブロック１２ｂ（カバーガラス１６ｂ、絞りパターン１７ｂ、レンズ１８ｂ）がずれ動くことはなく、レンズブロック１２ｂをホルダー１３ｄのブロック収容スペース３０ｄに固定することができる。
【０１９３】
小型レンズユニット１０Ｇは、ホルダー１３ｄの外径Ｌ４が０．５ｍｍ〜３ｍｍの範囲（ブロック収容スペース３０ｄの最大内径が０．４ｍｍ〜２ｍｍの範囲）にあるから、レンズユニット１０Ｇを小型にすることができ、小型の撮像素子に好適に連結することが可能な小型のレンズユニット１０Ｇを作ることができる。
【０１９４】
図２３は、他の一例として示す小型レンズユニット１０Ｈの斜視図であり、図２４は、図２３のＨ−Ｈ線断面図である。図２３，２４では、第１〜第４デバイス収容スペース４８ａ〜４８ｄに収容されるデバイスの図示を省略している。図２３では、前後方向を矢印Ｘで示し、径方向を矢印Ｙで示す。
【０１９５】
図２３のレンズユニット１０Ｈが図１のそれと異なるところは、カバーガラス１６ｅの角が面取りされていない点、ホルダー１３ｅに脚部２９が形成されておらず、ホルダー１３ｅの前後方向の寸法が短く、更に、胴部２８の構造が簡易（シンプル）である点、レンズブロック１２ｅの外周面３５とホルダー１３ｅの内周面３４との間に第１〜第４デバイス収容スペース４８ａ〜４８ｄが形成されている点にある。
【０１９６】
小型レンズユニット１０Ｈは、レンズブロック１２ｅと、ホルダー１３ｅと、デバイス（図示せず）とから形成されている。レンズブロック１２ｅは、前後方向（一方向）へ並んだ状態で一体になったカバーガラス１６ｅと絞り銅板１７ｅ（絞り手段）とレンズ１８ｅとから形成されている。
【０１９７】
カバーガラス１６ｅは、前端面１９及び後端面２０と前後端面１９，２０の間に延びる外周面２１（側面）とを有する。カバーガラス１６ｅは、物体側の前端面１９から後端面２０に続く外周面２１の形状が角柱に形成され、物体側の前端面１９から後端面２０に続く径方向の断面形状が正四角形（四角形）に形成されている。カバーガラス１６ｅは、径方向の最大長さＬ１が１．２ｍｍである。カバーガラス１６ｅの径方向の最大長さＬ１は、小型レンズユニット１０Ｈを使用する内視鏡のセンサモジュール１１の種類によって適宜決定され、カバーガラス１６ｅの径方向の最大長さＬ１に特に制限はない。カバーガラス１６ｅの角は面取りされていないが、図１のそれと同様に角が面取りされていてもよい。
【０１９８】
レンズ１８ｅは、前端面２４及び後端面２５と前後端面２４，２５の間に延びる外周面２６（側面）とを有する。レンズ１８ｅは、物体側（カバーガラス１６ｅ側）の前端面２４から後端面２５に続く径方向の断面形状が正四角形（四角形）に形成されている。レンズ１８ｅは、その断面形状がカバーガラス１６ｅの断面形状と同一である。レンズ１８ｅの径方向の最大径Ｌ３は、カバーガラス１６ｅの径方向の最大長さＬ１と同一である。
【０１９９】
絞り銅板１７ｅは、その径方向の断面形状が正四角形（四角形）であり、断面形状がカバーガラス１６ｅの断面形状と同一である。絞り銅板１７ｅは、その中心に円形の貫通孔２３が穿孔されている。なお、絞り銅板１７ｅではなく、絞りパターン（カバーガラス１６ｅの後端面２０の全域にマスキングされたクロム膜）であってもよい。
【０２００】
レンズ１８ｅは、前端面２４及び後端面２５と前後端面２４，２５の間に延びる外周面２６（側面）とを有する。レンズ１８ｅは、物体側（カバーガラス１６ｅ側）の前端面２４から後端面２５に続く径方向の断面形状が正四角形（四角形）に形成されている。レンズ１８ｅは、その断面形状がカバーガラス１６ｅの断面形状と同一である。レンズ１８ｅの径方向の最大径Ｌ３は、カバーガラス１６ｅの径方向の最大長さＬ１と同一である。
【０２０１】
レンズブロック１２ｅは、物体側の前端面（カバーガラス１６ｅの前端面１９）から後端面（レンズ１８ｅの後端面２５）に続く径方向の断面形状が正四角形（四角形）に形成されている。なお、レンズブロック１２ｅ（カバーガラス１６ｅ、絞り銅板１７ｅ、レンズ１８ｅ）の径方向の断面形状が図１の正四角形や図５の正三角形、図９の正六角形に形成されていてもよい。
【０２０２】
ホルダー１３ｅは、合成樹脂（プラスチック製）や金属から作られている。ホルダー１３ｅは、前後方向へ延びる円筒状の胴部２８と、胴部２８に囲繞されたブロック収容スペース３０ｅ及びセンサモジュール収容ペース３１とを有する。ホルダー１３ｅの胴部２８は、前端３２及び後端３３を有し、その直径Ｌ４（ホルダー１３ｅの外径）が１．４ｍｍである。ホルダー１３ｅの胴部２８の直径Ｌ４（ホルダー１３ｅの外径）は、小型レンズユニット１０Ｈを使用する内視鏡のセンサモジュール１１の種類によって適宜決定され、ホルダー１３ｅの胴部２８の直径Ｌ４に特に制限はない。ホルダー１３ｅの胴部２８の直径Ｌ４（ホルダー１３ｅの外径）は、０．５ｍｍ〜３ｍｍの範囲で調節される。
【０２０３】
ブロック収容スペース３０ｅは、ホルダー１３ｅの胴部２８の物体側の前端３２から後端３３に続く径方向の断面形状が円形（真円）に形成され、ホルダー１３ｅの胴部２８の前端３２（前方）から後端３３（後方）に向かって凹む円筒状に形成されている。ブロック収容スペース３０ｅは、その最大内径が０．４ｍｍ〜２ｍｍの範囲で調節される。
【０２０４】
ブロック収容スペース３０ｅには、レンズブロック１２ｅ（カバーガラス１６ｅ、絞り銅板１７ｅ（絞り手段）、レンズ１８ｅ）が収容され、センサモジュール収容スペース３１には、センサモジュール１１が設置されている。ブロック収容スペース３０ｅでは、カバーガラス１６ｅが絞り銅板１７ｅの前方に位置しつつスペース３０ｅの前方に収容され、レンズ１８ｅが絞り銅板１７ｅの後方に位置しつつスペース３０ｅに収容されている。
【０２０５】
小型レンズユニット１０Ｈには、レンズブロック１２ｅの外周面３５（各側面）から径方向外方へ凸となって所定のデバイスを収容可能な第１〜第４デバイス収容スペース４８ａ〜４８ｄ（第１〜第ｎデバイス収容スペース）が形成されている。第１〜第４デバイス収容スペース４８ａ〜４８ｄは、レンズブロック１２ｅの外周面３５とホルダー１３ｅの内周面３４との間に形成され、レンズブロック１２ｅ（ホルダー１３ｅ）の周り方向へ並んでいる。第１及び第３デバイス収容スペース４８ａ，４８ｃは、その平面形状や面積（大きさ）が略同一であり、第２及び第４デバイス収容スペース４８ｂ，４８ｄは、その平面形状や面積（大きさ）が略同一である。
【０２０６】
第１〜第４デバイス収容スペース４８ａ〜４８ｄには、１つ又は２つ以上のデバイス（図示せず）が収容される。デバイスには、照明用の光ファイバ１４、光を受光する受光用の光ファイバ１５、温度センサー、湿度センサー、所定の気体を噴射するエアー噴射チューブ３８、所定の液体を注入する液体注入チューブ３９、フォトディテクター、線量計、ワイヤーカッターのうちの少なくとも１種類のデバイスが収容される。
【０２０７】
第１〜第４デバイス収容スペース４８ａ〜４８ｄには、接着剤（固定手段）又は合成樹脂（固定手段）が注入（充填）され、接着剤や合成樹脂が第１〜第４デバイス収容スペース４８ａ〜４８ｄにおいて硬化している。レンズブロック１２ｅ及び各デバイスは、硬化した接着剤や合成樹脂によって第１〜第４デバイス収容スペース４８ａ〜４８ｄに固定されている。
【０２０８】
図２５は、他の一例として示す小型レンズユニット１０Ｉの斜視図であり、図２６は、図２５のＩ−Ｉ線断面図である。図２５，２６では、第１〜第４デバイス収容スペース４８ａ〜４８ｄに収容されるデバイスの図示を省略している。図２５では、前後方向を矢印Ｘで示し、径方向を矢印Ｙで示す。
【０２０９】
図２５のレンズユニット１０Ｉが図２３のそれと異なるところは、レンズブロック１２ｆが絞り銅板１７ｅ（絞り手段）とレンズ１８ｅとから形成されている点、カバーガラス１６ｆがホルダー１３ｅの前端３２に固着されている点にあり、その他の構成は図２３のレンズユニット１０Ｈと同一であるから、図２３のレンズユニット１０Ｈと同一の符号を付すとともに、図２３のレンズユニット１０Ｈの説明を援用することで、このレンズユニット１０Ｉのその他の構成の詳細な説明は省略する。
【０２１０】
小型レンズユニット１０Ｉは、カバーガラス１６ｆと、レンズブロック１２ｆと、ホルダー１３ｅと、デバイス（図示せず）とから形成されている。レンズブロック１２ｆは、前後方向（一方向）へ並んだ状態で一体になった絞り銅板１７ｅ（絞り手段）とレンズ１８ｅとから形成されている。
【０２１１】
カバーガラス１６ｆは、その大きさがカバーガラス１６ｅのそれよりも大きいことを除き、その構成がカバーガラス１６ｅのそれと同一である。カバーガラス１６ｆは、ホルダー１３ｅの前方に設置され、ホルダー１３ｅの前端３２と当接する部分が接着剤によってホルダー１３ｅに固着されている。絞り銅板１７ｅやレンズ１８ｅ、ホルダー１３ｅ、ブロック収容スペース３０ｅ、センサモジュール収容スペース３１は、図２３のレンズユニット１０Ｈのそれらと同一である。
【０２１２】
レンズブロック１２ｆは、物体側の前端面（レンズ１８ｅの後端面２４）から後端面（レンズ１８ｅの後端面２５）に続く径方向の断面形状が正四角形（四角形）に形成されている。なお、レンズブロック１２ｆ（絞り銅板１７ｅ、レンズ１８ｅ）の径方向の断面形状が図１の正四角形や図５の正三角形、図９の正六角形に形成されていてもよい。ブロック収容スペース３０ｅには、レンズブロック１２ｆ（絞り銅板１７ｅ（絞り手段）、レンズ１８ｅ）が収容され、センサモジュール収容スペース３１には、センサモジュール１１が設置されている。ブロック収容スペース３０ｅでは、レンズ１８ｅが絞り銅板１７ｅの後方に位置しつつスペース３０ｅに収容されている。
【０２１３】
小型レンズユニット１０Ｉには、レンズブロック１２ｆの外周面３５（各側面）から径方向外方へ凸となって所定のデバイスを収容可能な第１〜第４デバイス収容スペース４８ａ〜４８ｄ（第１〜第ｎデバイス収容スペース）が形成されている。第１〜第４デバイス収容スペース４８ａ〜４８ｄは、レンズブロック１２ｆの外周面３５とホルダー１３ｅの内周面３４との間に形成され、レンズブロック１２ｆ（ホルダー１３ｅ）の周り方向へ並んでいる。第１及び第３デバイス収容スペース４８ａ，４８ｃは、その平面形状や面積（大きさ）が略同一であり、第２及び第４デバイス収容スペース４８ｂ，４８ｄは、その平面形状や面積（大きさ）が略同一である。
【０２１４】
第１〜第４デバイス収容スペース４８ａ〜４８ｄには、図２３の小型レンズユニット１０Ｈと同様に、１つ又は２つ以上のデバイス（図示せず）が収容される。第１〜第４デバイス収容スペース４８ａ〜４８ｄには、接着剤（固定手段）又は合成樹脂（固定手段）が注入（充填）され、接着剤や合成樹脂が第１〜第４デバイス収容スペース４８ａ〜４８ｄにおいて硬化している。レンズブロック１２ｆ及び各デバイスは、硬化した接着剤や合成樹脂によって第１〜第４デバイス収容スペース４９ａ〜４９ｄに固定されている。
【０２１５】
小型レンズユニット１０Ｈ，１０Ｉは、断面形状が正四角形（四角形）のレンズブロック１２ｅ，１２ｆを断面形状が略円形のブロック収容スペース３０ｅに収容することで、レンズブロック１２ｅ，１２ｆの外周面３５とホルダー１３ｅの内周面３４との間に必然的に第１〜第４デバイス収容スペース４８ａ〜４８ｄ（第１〜第ｎデバイス収容スペース）が形成されるから、略円形の断面形状のブロック収容スペース３０ｅを有するホルダー１３ｅと正四角形（四角形）の断面形状のレンズブロック１２ｅ，１２ｆとを製造すればよく、複雑な構造を採用する必要はなく加工難易度を低くすることができ、それらデバイス収容スペース４８ａ〜４８ｄが形成された小型レンズユニット１０Ｈ，１０Ｉを容易に作ることができる。
【０２１６】
小型レンズユニット１０Ｈ，１０Ｉは、略円形の断面形状のブロック収容スペース３０ｅを有するホルダー１３ｅと正四角形（四角形）の断面形状のレンズブロック１２ｅ，１２ｆとを製造すればよいから、精度の狂いがない正四角形（四角形）のカバーガラス１６ｅ，１６ｆを備えたレンズユニット１０Ｈ，１０Ｉを廉価に作ることができ、小型レンズユニット１０Ｈ，１０Ｉを機械的に効率よく製造（量産）することができる。
【０２１７】
小型レンズユニット１０Ｈ，１０Ｉは、正四角形（四角形）の断面形状を有するレンズブロック１２ｅ，１２ｆの外周面３５と略円形の断面形状のブロック収容スペース３０ｅを有するホルダー１３ｅの内周面３４との間に形成された第１〜第４デバイス収容スペース４８ａ〜４８ｄに各種のデバイスを収容することができるから、小型であるにもかかわらず、必要な用途にあわせた各種のデバイスを小型レンズユニット１０Ｈ，１０Ｉに設置することができ、各デバイスを利用することで撮像機能の他に各種の機能を実現することができる。
【０２１８】
小型レンズユニット１０Ｈ，１０Ｉは、ホルダー１３ｅの外径Ｌ４が０．５ｍｍ〜３ｍｍの範囲（ブロック収容スペース３０ｅの最大内径が０．４ｍｍ〜２ｍｍの範囲）にあるから、レンズユニット１０Ｈ，１０Ｉを小型にすることができ、小型の撮像素子に好適に連結することが可能な小型のレンズユニット１０Ｈ，１０Ｉを作ることができる。
【０２１９】
図２７は、他の一例として示す小型レンズユニット１０Ｊの断面図である。図２７では、デバイス収容スペース５０ａ，５０ｃに収容されるデバイスの図示を省略している。図２７のレンズユニット１０Ｊが図２３のそれと異なるところは、レンズブロック１２ｇが絞り銅板１７ｆ（絞り手段）とレンズ１８ｆ及びレンズ１８ｇとから形成されている点、ホルダー１３ｆにレンズ１８ｇのレンズ載置部４９が形成されている点にあり、その他の構成は図２３のレンズユニット１０Ｈと同一であるから、図２３のレンズユニット１０Ｈと同一の符号を付すとともに、図２３のレンズユニット１０Ｈの説明を援用することで、このレンズユニット１０Ｊのその他の構成の詳細な説明は省略する。
【０２２０】
小型レンズユニット１０Ｊは、レンズブロック１２ｇと、ホルダー１３ｆと、デバイス（図示せず）とから形成されている。レンズブロック１２ｇは、前後方向（一方向）へ並んだ状態で一体になった絞り銅板１７ｆ（絞り手段）とレンズ１８ｆ及びレンズ１８ｇとから形成されている。絞り銅板１７ｆは、その径方向の断面形状が正四角形（四角形）である。絞り銅板１７ｆは、その中心に円形の貫通孔２３が穿孔されている。
【０２２１】
レンズ１８ｆ及びレンズ１８ｇは、物体側の前端面２４から後端面２５に続く径方向の断面形状が正四角形（四角形）に形成されている。レンズ１８ｇは、レンズ１８ｆの後方に位置している。レンズ１８ｆ及びレンズ１８ｇの径方向の最大径Ｌ３は、１．２ｍｍである。レンズブロック１２ｇは、物体側の前端面から後端面に続く径方向の断面形状が正四角形（四角形）に形成されている。なお、レンズブロック１２ｇ（絞り銅板１７ｆ、レンズ１８ｆ、１８ｇ）の径方向の断面形状が図１の正四角形や図５の正三角形、図９の正六角形に形成されていてもよい。
【０２２２】
ホルダー１３ｆは、合成樹脂（プラスチック製）や金属から作られている。ホルダー１３ｆは、前後方向へ延びる円筒状の胴部２８と、胴部２８に囲繞されたブロック収容スペース３０ｆ及びセンサモジュール収容ペース３１と、レンズ載置部４９とを有する。ホルダー１３ｆの胴部２８は、前端３２及び後端３３を有し、その直径Ｌ４（ホルダー１３ｅの外径）が１．４ｍｍである。ホルダー１３ｆの胴部２８の直径Ｌ４（ホルダー１３ｆの外径）は、小型レンズユニット１０Ｊを使用する内視鏡のセンサモジュール１１の種類によって適宜決定され、ホルダー１３ｆの胴部２８の直径Ｌ４に特に制限はない。ホルダー１３ｆの胴部２８の直径Ｌ４（ホルダー１３ｆの外径）は、０．５ｍｍ〜３ｍｍの範囲で調節される。
【０２２３】
ブロック収容スペース３０ｆは、ホルダー１３ｆの胴部２８の物体側の前端３２から後端３３に続く径方向の断面形状が円形（真円）に形成され、ホルダー１３ｆの胴部２８の前端３２（前方）から後端３３（後方）に向かって凹む円筒状に形成されている。ブロック収容スペース３０ｆは、その最大内径が０．４ｍｍ〜２ｍｍの範囲で調節される。
【０２２４】
ブロック収容スペース３０ｆには、レンズブロック１２ｇ（絞り銅板１７ｆ（絞り手段）、レンズ１８ｆ、レンズ１８ｇ）が収容され、センサモジュール収容スペース３１には、センサモジュール１１が設置されている。ブロック収容スペース３０ｆでは、レンズ１８ｆが絞り銅板１７ｆの後方に位置しつつスペース３０ｆに収容され、レンズ１８ｇがレンズ１８ｆの後方に位置しつつスペース３０ｆに収容されている。
【０２２５】
小型レンズユニット１０Ｊには、レンズブロック１２ｇの外周面３５（各側面）から径方向外方へ凸となって所定のデバイスを収容可能な第１〜第４デバイス収容スペース５０ａ〜５０ｄ（第１〜第ｎデバイス収容スペース）が形成されている。第１〜第４デバイス収容スペース５０ａ〜５０ｄは、レンズブロック１２ｇの外周面３５とホルダー１３ｆの内周面３４との間に形成され、レンズブロック１２ｇ（ホルダー１３ｆ）の周り方向へ並んでいる。第１及び第３デバイス収容スペース５０ａ，５０ｃは、その平面形状や面積（大きさ）が略同一であり、第２及び第４デバイス収容スペース５０ｂ，５０ｄは、その平面形状や面積（大きさ）が略同一である。
【０２２６】
第１〜第４デバイス収容スペース５０ａ〜５０ｄには、１つ又は２つ以上のデバイス（図示せず）が収容される。デバイスには、照明用の光ファイバ１４、光を受光する受光用の光ファイバ１５、温度センサー、湿度センサー、所定の気体を噴射するエアー噴射チューブ３８、所定の液体を注入する液体注入チューブ３９、フォトディテクター、線量計、ワイヤーカッターのうちの少なくとも１種類のデバイスが収容される。
【０２２７】
第１〜第４デバイス収容スペース５０ａ〜５０ｄには、接着剤（固定手段）又は合成樹脂（固定手段）が注入（充填）され、接着剤や合成樹脂が第１〜第４デバイス収容スペース５０ａ〜５０ｄにおいて硬化している。レンズブロック１２ｇ及び各デバイスは、硬化した接着剤や合成樹脂によって第１〜第４デバイス収容スペース５０ａ〜５０ｄに固定されている。
【０２２８】
小型レンズユニット１０Ｊは、断面形状が正四角形（四角形）のレンズブロック１２ｇを断面形状が略円形のブロック収容スペース３０ｆに収容することで、レンズブロック１２ｇの外周面３５とホルダー１３ｆの内周面３４との間に必然的に第１〜第４デバイス収容スペース５０ａ〜５０ｄ（第１〜第ｎデバイス収容スペース）が形成されるから、略円形の断面形状のブロック収容スペース３０ｆを有するホルダー１３ｆと正四角形（四角形）の断面形状のレンズブロック１２ｇとを製造すればよく、複雑な構造を採用する必要はなく加工難易度を低くすることができ、それらデバイス収容スペース５０ａ〜５０ｄが形成された小型レンズユニット１０Ｊを容易に作ることができる。
【０２２９】
小型レンズユニット１０Ｊは、略円形の断面形状のブロック収容スペース３０ｆを有するホルダー１３ｆと正四角形（四角形）の断面形状のレンズブロック１２ｇとを製造すればよいから、レンズユニット１０Ｊを廉価に作ることができ、小型レンズユニット１０Ｊを機械的に効率よく製造（量産）することができる。
【０２３０】
小型レンズユニット１０Ｊは、正四角形（四角形）の断面形状を有するレンズブロック１２ｇの外周面３５と略円形の断面形状のブロック収容スペース３０ｆを有するホルダー１３ｆの内周面３４との間に形成された第１〜第４デバイス収容スペース５０ａ〜５０ｄに各種のデバイスを収容することができるから、小型であるにもかかわらず、必要な用途にあわせた各種のデバイスを小型レンズユニット１０Ｊに設置することができ、各デバイスを利用することで撮像機能の他に各種の機能を実現することができる。
【０２３１】
小型レンズユニット１０Ｊは、ホルダー１３ｆの外径Ｌ４が０．５ｍｍ〜３ｍｍの範囲（ブロック収容スペース３０ｆの最大内径が０．４ｍｍ〜２ｍｍの範囲）にあるから、レンズユニット１０Ｊを小型にすることができ、小型の撮像素子に好適に連結することが可能な小型のレンズユニット１０Ｊを作ることができる。
【符号の説明】
【０２３２】
１０Ａ〜１０Ｊ  小型レンズユニット
１１    センサモジュール
１２ａ〜１２ｇ  レンズブロック
１３ａ〜１３ｆ  ホルダー
１４    照明用の光ファイバ
１５    受光用の光ファイバ
１６ａ〜１６ｆ  カバーガラス
１７ａ〜１７ｆ  絞りパターン（絞り手段）
１８ａ〜１８ｇ  レンズ
１９    前端面
２０    後端面
２１    側面（周面）
２２    角
２３    貫通孔
２４    前端面
２５    後端面
２６    側面（周面）
２７    角
２８    胴部
２９    脚部
３０ａ〜３０ｆ  ブロック収容スペース
３１    センサモジュール収容ペース
３２    前端
３３    後端
３４    内周面
３５    外周面
３６ａ〜３６ｄ  第１〜第４デバイス収容スペース
３７ａ〜３７ｄ  第１〜第３デバイス収容スペース
３８    エアー噴射チューブ
３９    液体注入チューブ
４０ａ〜４０ｆ  第１〜第６デバイス収容スペース
４１ａ〜４１ｄ  第１〜第４デバイス収容スペース
４２ａ〜４２ｄ  第１〜第４デバイス収容スペース
４３    温度センサー
４４    湿度センサー
４５ａ〜４５ｄ  第１〜第４デバイス収容スペース
４６    角収容スペース（角収容部分）
４７ａ〜４７ｃ  第１〜第３デバイス収容スペース
４８ａ〜４８ｄ  第１〜第４デバイス収容スペース
４９    レンズ載置部
５０ａ〜５０ｄ  第１〜第４デバイス収容スペース
【図１】
2020148960.tif 000003
【図２】
2020148960.tif 000004
【図３】
2020148960.tif 000005
【図４】
2020148960.tif 000006
【図５】
2020148960.tif 000007
【図６】
2020148960.tif 000008
【図７】
2020148960.tif 000009
【図８】
2020148960.tif 000010
【図９】
2020148960.tif 000011
【図１０】
2020148960.tif 000012
【図１１】
2020148960.tif 000013
【図１２】
2020148960.tif 000014
【図１３】
2020148960.tif 000015
【図１４】
2020148960.tif 000016
【図１５】
2020148960.tif 000017
【図１６】
2020148960.tif 000018
【図１７】
2020148960.tif 000019
【図１８】
2020148960.tif 000020
【図１９】
2020148960.tif 000021
【図２０】
2020148960.tif 000022
【図２１】
2020148960.tif 000023
【図２２】
2020148960.tif 000024
【図２３】
2020148960.tif 000025
【図２４】
2020148960.tif 000026
【図２５】
2020148960.tif 000027
【図２６】
2020148960.tif 000028
【図２７】
2020148960.tif 000029